(57)【要約】【課題】室内空間の壁付近からの冷気の進入を防ぐ。【解決手段】ケーシング（20）の主吹出し開口（24a〜24d）には、該主吹出し開口（24a〜24d）から吹き出される空気の風向を上下方向に変更するための風向調節羽根（51）が設けられている。熱交換温度センサ（61）は、室内熱交換器（32）の温度を検知する。モータ制御部（72）は、暖房運転時、熱交換温度センサ（61）の検知結果が第１所定値よりも高い場合、主吹出し開口（24a〜24d）から吹き出される空気を少なくとも水平に吹かせる気流モードにて、風向調節羽根（51）を制御する。【選択図】図９
2017110880.tif 000002
【特許請求の範囲】
【請求項１】
室内空間（500）に空気を吹き出す室内ユニット（10）を備えた空気調和装置であって、
吹出し開口（24a〜24d）が形成された室内ケーシング（20）と、
上記吹出し開口（24a〜24d）に設けられ、該吹出し開口（24a〜24d）から吹き出される空気の風向を上下方向に変更するための風向調節羽根（51）と、
上記室内ケーシング（20）内部に設けられており、暖房運転時、上記吹出し開口（24a〜24d）から吹き出される前の空気を冷媒によって加熱する室内熱交換器（32）と、
上記室内熱交換器（32）の温度または上記吹出し開口（24a〜24d）から吹き出される空気の温度を検知する第１温度検知部（61）と、
上記暖房運転時、上記第１温度検知部（61）の検知結果が第１所定値よりも高い場合、上記吹出し開口（24a〜24d）から吹き出される空気を少なくとも水平に吹かせる気流モードにて、上記風向調節羽根（51）を制御する制御部（72）と
を備えることを特徴とする空気調和装置。
【請求項２】
請求項１において、
上記制御部（72）は、上記気流モードにおいて、上記吹出し開口（24a〜24d）から吹き出される空気の風量を、上記暖房運転時における上記第１温度検知部（61）の検知結果が上記第１所定値よりも低い場合に比して増大させる
ことを特徴とする空気調和装置。
【請求項３】
請求項１または請求項２において、
上記室内空間（500）の負荷を表す指標を算出する負荷指標算出部（71）、
を更に備え、
上記制御部（72,86）は、上記暖房運転における上記気流モード時の上記指標が第２所定値よりも低い場合、該気流モードを終了させるモード終了制御を行う
ことを特徴とする空気調和装置。
【請求項４】
請求項３において、
上記室内ケーシング（20）には、吸込み開口（23）が更に形成されており、
上記吸込み開口（23）から上記室内ケーシング（20）内に吸い込まれる空気の吸込温度を検知する第２温度検知部（62）、
を更に備え、
上記暖房運転における上記気流モード時の上記指標が上記第２所定値よりも低い場合とは、上記暖房運転における上記気流モード時の設定温度と上記吸込温度との差が所定差よりも小さい場合である
ことを特徴とする空気調和装置。
【請求項５】
請求項３または請求項４において、
冷媒を圧縮する圧縮機（81）、
を更に備え、
上記制御部（72,86）は、上記モード終了制御では、
上記第１温度検知部（61）の検知結果が第３所定値以下となるように上記圧縮機（81）の運転周波数を低下させ、
上記第１温度検知部（61）の検知結果が上記第３所定値以下となった時、上記気流モードを終了する
ことを特徴とする空気調和装置。
【請求項６】
請求項５において、
上記第３所定値は、上記第１所定値以下である
ことを特徴とする空気調和装置。
【請求項７】
請求項１または請求項２において、
上記制御部（72,86）は、上記暖房運転における上記気流モードでの運転積算時間が所定時間に達した場合、上記気流モードを終了させるモード終了制御を行う
ことを特徴とする空気調和装置。
【発明の詳細な説明】
【技術分野】
【０００１】
本発明は、室内空間に空気を吹き出す室内ユニットを備えた空気調和装置に関するものである。
【背景技術】
【０００２】
従来より、例えば特許文献１に開示されているような空気調和装置が知られている。特許文献１の空気調和装置は、天井付近に設置された室内ユニットを備え、室内ユニットは、室内熱交換器（熱交換器）を有する。特許文献１では、暖房運転時、室内熱交換器の温度が所定値よりも低い場合、空気の吹出し方向を水平方向とすることで、未だ暖まっていない空気が直接在室者に当たらないようにし、コールドドラフトを防止している。また、特許文献１では、室内熱交換器の温度が所定値よりも高い場合、空気の吹出し方向を下方とすることで、暖かい空気（即ち暖気）が在室者の足下に届くようにしている。
【先行技術文献】
【特許文献】
【０００３】
【特許文献１】特開２０１３−１８１６７１号公報
【発明の概要】
【発明が解決しようとする課題】
【０００４】
一般的に、暖房運転は、例えば冬季のように外気温度が比較的低い場合に行われるため、暖房運転時、室内空間には壁付近から冷気が進入し易い。
【０００５】
これに対し、特許文献１では、室内熱交換器の温度が所定値よりも低い場合、未だ暖まっていない空気が水平に吹き出されるため、冷気の進入し易い壁付近はかえってより冷やされてしまう。特に、特許文献１では、室内熱交換器の温度が所定値よりも高い場合、暖かい空気が下方に吹き出されて室内ユニットの真下は暖められるものの、室内空間には依然として壁付近から冷気が進入する。すると、室内空間の例えば中央部と壁付近との温度差は、依然として大きい状態が保たれてしまう。
【０００６】
本発明は、かかる点に鑑みてなされたものであり、その目的は、室内空間の壁付近からの冷気の進入を防ぐことである。
【課題を解決するための手段】
【０００７】
第１の発明は、室内空間（500）に空気を吹き出す室内ユニット（10）を備えた空気調和装置であって、吹出し開口（24a〜24d）が形成された室内ケーシング（20）と、上記吹出し開口（24a〜24d）に設けられ、該吹出し開口（24a〜24d）から吹き出される空気の風向を上下方向に変更するための風向調節羽根（51）と、上記室内ケーシング（20）内部に設けられており、暖房運転時、上記吹出し開口（24a〜24d）から吹き出される前の空気を冷媒によって加熱する室内熱交換器（32）と、上記室内熱交換器（32）の温度または上記吹出し開口（24a〜24d）から吹き出される空気の温度を検知する第１温度検知部（61）と、上記暖房運転時、上記第１温度検知部（61）の検知結果が第１所定値よりも高い場合、上記吹出し開口（24a〜24d）から吹き出される空気を少なくとも水平に吹かせる気流モードにて、上記風向調節羽根（51）を制御する制御部（72）とを備えることを特徴とする空気調和装置である。
【０００８】
この空気調和装置は、暖房運転時、室内熱交換器（32）の温度または空気の吹出し温度が第１所定値よりも高い場合、気流モードに移行して運転を行う。気流モードでは、吹出し開口（24a〜24d）からは、暖められた空気（即ち暖気）が、少なくとも水平方向に吹き出される。これにより、暖気は、室内空間（500）の壁付近に到達することができ、壁付近から室内空間（500）内への冷気の流れは、暖気により遮断される。従って、壁付近から室内空間（500）への冷気の進入は防がれ、室内空間（500）の中央部と周辺部（壁付近）における気温の差は縮小される。更に、暖気は、室内空間（500）の壁を伝って流れるため、室内空間（500）全体が暖気で包まれる。
【０００９】
第２の発明は、第１の発明において、上記制御部（72）は、上記気流モードにおいて、上記吹出し開口（24a〜24d）から吹き出される空気の風量を、上記暖房運転時における上記第１温度検知部（61）の検知結果が上記第１所定値よりも低い場合に比して増大させることを特徴とする空気調和装置である。
【００１０】
これにより、暖房運転における気流モード時、暖気は、室内空間（500）の壁付近により到達し易くなる。従って、壁付近から室内空間（500）への冷気の進入を、より確実に防ぐことができる。
【００１１】
なお、上述した気流モード時の“風量の増大”とは、仮に吹出し開口（24a〜24d）が複数ある場合は、任意の一つの吹出し開口（24a〜24d）に着目し、該開口から吹き出される空気の風量が、第１温度検知部（61）の検知結果が第１所定値よりも低い場合よりも増量することを意味する。
【００１２】
第３の発明は、第１の発明または第２の発明において、上記室内空間（500）の負荷を表す指標を算出する負荷指標算出部（71）、を更に備え、上記制御部（72,86）は、上記暖房運転における上記気流モード時の上記指標が第２所定値よりも低い場合、該気流モードを終了させるモード終了制御を行うことを特徴とする空気調和装置である。
【００１３】
気流モードの実行によって、室内空間（500）の壁付近から室内空間（500）内への冷気の進入が抑制され且つ室内空間（500）全体が暖まると、室内空間（500）内は低負荷となる。そこで、ここでは、暖房運転における気流モードの実行によって室内空間（500）内が低負荷となった場合、これ以上の気流モードの実行は不要のため、気流モードを終了する。つまり、気流モードは、必要な場合に限り実行される。
【００１４】
第４の発明は、第３の発明において、上記室内ケーシング（20）には、吸込み開口（23）が更に形成されており、上記吸込み開口（23）から上記室内ケーシング（20）内に吸い込まれる空気の吸込温度を検知する第２温度検知部（62）、を更に備え、上記暖房運転における上記気流モード時の上記指標が上記第２所定値よりも低い場合とは、上記暖房運転における上記気流モード時の設定温度と上記吸込温度との差が所定差よりも小さい場合であることを特徴とする空気調和装置である。
【００１５】
ここでは、室内空間（500）の負荷を表す指標は、上述のように簡単な方法によって判断される。
【００１６】
第５の発明は、第３の発明または第４の発明において、冷媒を圧縮する圧縮機（81）、
を更に備え、上記制御部（72,86）は、上記モード終了制御では、上記第１温度検知部（61）の検知結果が第３所定値以下となるように上記圧縮機（81）の運転周波数を低下させ、上記第１温度検知部（61）の検知結果が上記第３所定値以下となった時、上記気流モードを終了することを特徴とする空気調和装置である。
【００１７】
気流モードを終了させるためのモード終了制御は、既に述べたように、暖房運転における気流モード時の室内空間（500）の負荷を表す指標が第２所定値より低いことをトリガとして実行される。このモード終了制御では、圧縮機（81）の運転周波数を直前の状態から低くすることで圧縮機（81）の能力を低下させていく。圧縮機（81）の能力が低下すると、室内熱交換器（32）の温度や空気の吹出し温度は低下する。そこで、制御部（72）は、気流モードを、第１温度検知部（61）の検知結果が第３所定値以下となると終了させる。
【００１８】
第６の発明は、第５の発明において、上記第３所定値は、上記第１所定値以下であることを特徴とする空気調和装置である。
【００１９】
ここでは、気流モードが終了する際の閾値である第３所定値は、気流モード移行時の閾値である第１所定値以下となっている。特に、室内熱交換器（32）の温度や空気の吹出し温度は、ある程度の範囲内にて上下するため、気流モード終了時の閾値である第３所定値は、第１所定値よりも低くすることが好ましい。これにより、制御部（72,86）は、第１温度検知部（61）の検知結果が上下する現象に影響されることなく、気流モードを終了させることができる。
【００２０】
第７の発明は、第１の発明または第２の発明において、上記制御部（72,86）は、上記暖房運転における上記気流モードでの運転積算時間が所定時間に達した場合、上記気流モードを終了させるモード終了制御を行うことを特徴とする空気調和装置である。
【００２１】
暖房運転における気流モードでの運転積算時間が所定時間に達したということは、気流モードが十分な時間実行されたことを意味する。気流モードが十分な時間実行されれば、室内空間（500）の壁付近からの冷気の進入も十分に抑制され、室内空間（500）はある程度暖まった状態となる。そこで、気流モードでの運転積算時間が所定時間に達した場合、制御部（72,86）は、モード終了制御を行う。これにより、不必要に気流モードが実行されずに済む。
【発明の効果】
【００２２】
本発明によれば、壁付近から室内空間（500）内への冷気の流れは、暖気により遮断されるため、壁付近から室内空間（500）への冷気の進入を防ぐことができる。それ故、室内空間（500）の中央部と周辺部（壁付近）における気温の差は縮小される。更に、暖気は、室内空間（500）の壁を伝って流れるため、室内空間（500）全体が暖気で包まれる。
【００２３】
また、上記第２の発明によれば、壁付近から室内空間（500）への冷気の進入を、より確実に防ぐことができる。
【００２４】
また、上記第３の発明によれば、気流モードは、必要な場合に限り実行される。
【００２５】
また、上記第４の発明によれば、室内空間（500）の負荷を表す指標は、簡単な方法によって判断される。
【００２６】
また、上記第５の発明によれば、空気調和装置（100）は、圧縮機（81）の運転周波数を低くすることで第１温度検知部（61）の検知結果を低くして、気流モードを終了することができる。
【００２７】
また、上記第６の発明によれば、制御部（72,86）は、第１温度検知部（61）の検知結果が上下する現象に影響されることなく、気流モードを終了させることができる。
【００２８】
また、上記第７の発明によれば、不必要に気流モードが実行されずに済む。
【図面の簡単な説明】
【００２９】
【図１】図１は、実施形態に係る室内制御部と当該室内制御部に接続された機器とを模式的に示すブロック図である。
【図２】図２は、室内ユニットを斜め下方から見た斜視図である。
【図３】図３は、ケーシング本体の天板を省略した室内ユニットの概略の平面図である。
【図４】図４は、図３のIII−Ｏ−III断面を示す室内ユニットの概略の断面図である。
【図５】図５は、室内ユニットの概略の下面図である。
【図６】図６は、水平吹き位置にある風向調節羽根を示す化粧パネルの要部の断面図である。
【図７】図７は、下吹き位置にある風向調節羽根を示す化粧パネルの要部の断面図である。
【図８】図８は、気流ブロック位置にある風向調節羽根を示す化粧パネルの要部の断面図である。
【図９】図９は、暖房運転時における通常モードと気流モードとの切り換えの条件を説明するための図である。
【図１０】図１０は、室内ユニットが行う気流ローテーションの１サイクルを示す説明図であって、各動作における室内ユニットの下面を模式的に示したものである。
【図１１】図１１は、室内ユニットが暖房運転時の気流ローテーションを行っている場合の室内の温度分布を示す室内空間の平面図である。
【図１２】図１２は、実施形態の変形例１に係る室内制御部と当該室内制御部に接続された機器とを模式的に示すブロック図である。
【発明を実施するための形態】
【００３０】
以下、本発明の実施形態を図面に基づいて詳細に説明する。なお、以下の実施形態は、本質的に好ましい例示であって、本発明、その適用物、あるいはその用途の範囲を制限することを意図するものではない。
【００３１】
≪実施形態≫
−空気調和装置の構成−
図１に示すように、本実施形態の空気調和装置（100）は、室内ユニット（10）と、室外ユニット（80）と、リモートコントローラ（90）とを備える。
【００３２】
図示してはいないが、室内ユニット（10）と室外ユニット（80）とは、連絡配管で接続されており、これによって冷媒が循環して冷凍サイクルを行う冷媒回路が形成されている。更に、室内ユニット（10）と室外ユニット（80）とは、電気的な配線によっても互いに接続されており、室内ユニット（10）に含まれる室内制御部（70）及び室外ユニット（80）に含まれる室外制御部（85）は、互いに通信可能となっている。リモートコントローラ（90）は、室内制御部（70）と有線または無線によって通信可能に接続されている。
【００３３】
室内ユニット（10）は、図２に示すように天井埋め込み型に構成されており、室内空間（500）に空気を吹き出す。室内ユニット（10）の構成については後述する。
【００３４】
室外ユニット（80）は、屋外等である室内空間（500）の外に設置されている。図１に示すように、室外ユニット（80）は、冷媒を圧縮する圧縮機（81）と、圧縮機（81）を駆動させる圧縮機モータ（81a）と、室外制御部（85）とを有する。室外制御部（85）は、CPU及びROM等からなるマイクロコンピュータで構成されており、圧縮機（81）の運転周波数を制御する圧縮機制御部（86）として機能する。
【００３５】
リモートコントローラ（90）は、室内空間（500）の壁（502）等に取り付けられており、在室者の操作を受け付ける。即ち、在室者は、リモートコントローラ（90）を介して、空気調和装置（100）に関する各種設定や動作指示を行うことができる。リモートコントローラ（90）は、各種設定及び動作指示を受け付けると、これを室内制御部（70）に送信する。
【００３６】
特に、リモートコントローラ（90）は、後述する気流モードへの移行を許可する設定及び許可しない設定を、受け付けることが可能に構成されている。
【００３７】
−室内ユニットの構成−
図１〜図５に示すように、室内ユニット（10）は、ケーシング（20）（室内ケーシングに相当）と、室内ファン（31）と、室内熱交換器（32）と、ドレンパン（33）と、ベルマウス（36）と、風向調節羽根（51）と、熱交換温度センサ（61）（第１温度検知部に相当）と、吸込温度センサ（62）（第２温度検知部に相当）と、室内制御部（70）とを備えている。
【００３８】
〈ケーシング〉
ケーシング（20）は、室内空間（500）の天井（501）に設置されている。ケーシング（20）は、ケーシング本体（21）と化粧パネル（22）とによって構成されている。このケーシング（20）には、室内ファン（31）と、室内熱交換器（32）と、ドレンパン（33）と、ベルマウス（36）とが収容されている。
【００３９】
ケーシング本体（21）は、室内空間（500）の天井（501）に形成された開口に挿入されて配置されている。ケーシング本体（21）は、下面が開口する概ね直方体状の箱形に形成されている。このケーシング本体（21）は、概ね平板状の天板（21a）と、天板（21a）の周縁部から下方に延びる側板（21b）とを有している。
【００４０】
〈室内ファン〉
図４に示すように、室内ファン（31）は、下方から吸い込んだ空気を径方向の外側に向けて吹き出す遠心送風機である。室内ファン（31）は、ケーシング本体（21）の内部中央に配置されている。室内ファン（31）は、室内ファンモータ（31a）によって駆動される。室内ファンモータ（31a）は、天板（21a）の中央部に固定されている。
【００４１】
〈ベルマウス〉
ベルマウス（36）は、室内ファン（31）の下方に配置されている。このベルマウス（36）は、ケーシング（20）へ流入した空気を室内ファン（31）へ案内するための部材である。ベルマウス（36）は、ドレンパン（33）と共に、ケーシング（20）の内部空間を、室内ファン（31）の吸い込み側に位置する一次空間（21c）と、室内ファン（31）の吹き出し側に位置する二次空間（21d）とに仕切っている。
【００４２】
〈室内熱交換器〉
室内熱交換器（32）は、いわゆるクロスフィン型のフィン・アンド・チューブ熱交換器である。図３に示すように、室内熱交換器（32）は、平面視でロ字状に形成され、室内ファン（31）の周囲を囲むように配置されている。つまり、室内熱交換器（32）は、二次空間（21d）に配置されている。室内熱交換器（32）は、その内側から外側へ向かって通過する空気を、冷媒回路の冷媒と熱交換させる。
【００４３】
〈ドレンパン〉
ドレンパン（33）は、いわゆる発泡スチロール製の部材である。図４に示すように、ドレンパン（33）は、ケーシング本体（21）の下端を塞ぐように配置されている。ドレンパン（33）の上面には、室内熱交換器（32）の下端に沿った水受溝（33b）が形成されている。水受溝（33b）には、室内熱交換器（32）の下端部が入り込んでいる。水受溝（33b）は、室内熱交換器（32）において生成したドレン水を受け止める。
【００４４】
図３に示すように、ドレンパン（33）には、主吹出し通路（34a〜34d）と副吹出し通路（35a〜35d）とが四つずつ形成されている。主吹出し通路（34a〜34d）及び副吹出し通路（35a〜35d）は、室内熱交換器（32）を通過した空気が流れる通路であって、ドレンパン（33）を上下方向に貫通している。主吹出し通路（34a〜34d）は、断面が細長い長方形状の貫通孔である。主吹出し通路（34a〜34d）は、ケーシング本体（21）の四つの辺のそれぞれに沿って一つずつ配置されている。副吹出し通路（35a〜35d）は、断面がやや湾曲した矩形状の貫通孔である。副吹出し通路（35a〜35d）は、ケーシング本体（21）の四つの角部のそれぞれに一つずつ配置されている。つまり、ドレンパン（33）では、その周縁に沿って、主吹出し通路（34a〜34d）と副吹出し通路（35a〜35d）とが交互に配置されている。
【００４５】
〈化粧パネル〉
化粧パネル（22）は、四角い厚板状に形成された樹脂製の部材である。化粧パネル（22）の下部は、ケーシング本体（21）の天板（21a）よりも一回り大きな正方形状に形成されている。この化粧パネル（22）は、ケーシング本体（21）の下面を覆うように配置されている。また、化粧パネル（22）の下面は、ケーシング（20）の下面を構成し、室内空間（500）に露出している。
【００４６】
図４及び図５に示すように、化粧パネル（22）の中央部には、正方形状の一つの吸込口（23）（吸込み開口に相当）が形成されている。吸込口（23）は、化粧パネル（22）を上下に貫通し、ケーシング（20）内部の一次空間（21c）に連通する。ケーシング（20）へ吸い込まれる空気は、吸込口（23）を通って一次空間（21c）へ流入する。吸込口（23）には、格子状の吸込グリル（41）が設けられている。また、吸込グリル（41）の上方には、吸込フィルタ（42）が配置されている。
【００４７】
化粧パネル（22）には、概ね四角い輪状の吹出口（26）が、吸込口（23）を囲むように形成されている。図５に示すように、吹出口（26）は、四つの主吹出し開口（24a〜24d）（吹出し用開口に相当）と、四つの副吹出し開口（25a〜25d）とに区分されている。
【００４８】
主吹出し開口（24a〜24d）は、主吹出し通路（34a〜34d）の断面形状に対応した細長い開口である。主吹出し開口（24a〜24d）は、化粧パネル（22）の四つの辺のそれぞれに沿って一つずつ配置されている。
【００４９】
化粧パネル（22）の主吹出し開口（24a〜24d）は、ドレンパン（33）の主吹出し通路（34a〜34d）と一対一に対応している。各主吹出し開口（24a〜24d）は、対応する主吹出し通路（34a〜34d）と連通する。つまり、第１主吹出し開口（24a）は第１主吹出し通路（34a）と、第２主吹出し開口（24b）は第２主吹出し通路（34b）と、第３主吹出し開口（24c）は第３主吹出し通路（34c）と、第４主吹出し開口（24d）は第４主吹出し通路（34d）と、それぞれ連通する。
【００５０】
副吹出し開口（25a〜25d）は、１／４円弧状の開口である。副吹出し開口（25a〜25d）は、化粧パネル（22）の四つの角部のそれぞれに一つずつ配置されている。化粧パネル（22）の副吹出し開口（25a〜25d）は、ドレンパン（33）の副吹出し通路（35a〜35d）と一対一に対応している。各副吹出し開口（25a〜25d）は、対応する副吹出し通路（35a〜35d）と連通する。つまり、第１副吹出し開口（25a）は第１副吹出し通路（35a）と、第２副吹出し開口（25b）は第２副吹出し通路（35b）と、第３副吹出し開口（25c）は第３副吹出し通路（35c）と、第４副吹出し開口（25d）は第４副吹出し通路（35d）と、それぞれ連通する。
【００５１】
〈風向調節羽根〉
図５に示すように各主吹出し開口（24a〜24d）には、風向調節羽根（51）が設けられている。風向調節羽根（51）は、吹出し気流の方向（即ち、主吹出し開口（24a〜24d）から吹き出される空気の風向）を調節するための部材である。
【００５２】
風向調節羽根（51）は、吹出し気流の方向を上下方向に変更する。つまり、風向調節羽根（51）は、吹出し気流の方向と水平方向のなす角度が変化するように、吹出し気流の方向を変化させる。
【００５３】
風向調節羽根（51）は、化粧パネル（22）の主吹出し開口（24a〜24d）の長手方向の一端から他端に亘って延びる細長い板状に形成されている。図４に示すように、風向調節羽根（51）は、その長手方向に延びる中心軸（53）まわりに回動自在となるように、支持部材（52）に支持されている。風向調節羽根（51）は、その横断面（長手方向と直交する断面）の形状が揺動運動の中心軸（53）から遠ざかる方向に凸となるように湾曲している。
【００５４】
図５に示すように、各風向調節羽根（51）には、駆動モータ（54）が連結されている。風向調節羽根（51）は、駆動モータ（54）によって駆動され、中心軸（53）まわりに所定の角度範囲で回転移動する。また、詳しくは後述するが、風向調節羽根（51）は、主吹出し開口（24a〜24d）を通過する空気の流れを妨げる気流ブロック位置に変位可能となっており、主吹出し開口（24a〜24d）の吹出し気流を阻害する気流阻害機構（50）を兼ねている。
【００５５】
〈熱交換温度センサ〉
図４に示すように、熱交換温度センサ（61）は、室内熱交換器（32）の表面付近に設けられている。熱交換温度センサ（61）は、室内熱交換器（32）の温度をセンシングする。
【００５６】
〈吸込温度センサ〉
図４に示すように、吸込温度センサ（62）は、吸込口（23）付近に設けられている。吸込温度センサ（62）は、吸込口（23）からケーシング本体（21）内に吸い込まれる空気の吸込温度をセンシングする。
【００５７】
〈室内制御部〉
室内制御部（70）は、メモリ及びＣＰＵによって構成されており、室内ユニット（10）の動作を制御する。図１に示すように、室内制御部（70）は、熱交換温度センサ（61）と、吸込温度センサ（62）と、各風向調節羽根（51）の駆動モータ（54）と、室内ファン（31）の室内ファンモータ（31a）と接続されている。更に、室内制御部（70）は、リモートコントローラ（90）及び室外ユニット（80）の室外制御部（85）とも、通信可能に接続されている。
【００５８】
室内制御部（70）は、メモリに格納されている各種プログラムをＣＰＵが読み出して実行することにより、負荷指標算出部（71）及びモータ制御部（72）（制御部に相当）として機能する。モータ制御部（72）には、各駆動モータ（54）を制御して各主吹出し開口（24a〜24d）から吹き出される空気の風向を制御する風向制御部（73）と、室内ファンモータ（31a）を制御する回転数制御部（74）とが含まれる。
【００５９】
負荷指標算出部（71）は、吸込温度センサ（62）の検知結果である空気の吸込温度を用いて、室内空間（500）の負荷を表す指標を算出する。特に、負荷指標算出部（71）による指標の算出動作は、暖房運転において後述する気流モードが実行されている時に行われる。具体的に、負荷指標算出部（71）は、暖房運転における気流モード実行時の室内空間（500）の設定温度と吸込温度センサ（62）の検知結果（吸込温度）との差により、室内空間（500）の負荷を表す指標を算出する。当該差が大きい程、暖房運転における気流モード実行時の室内空間（500）の負荷は大きく、当該差が小さい程、暖房運転における気流モード実行時の室内空間（500）の負荷は小さいことに相当する。そこで、本実施形態では、当該差が所定差よりも大きい場合、負荷指標算出部（71）が算出した上記指標は、第２所定値よりも高い状態となっていることに相当する。当該差が所定差よりも小さい場合、負荷指標算出部（71）が算出した上記指標は、第２所定値よりも低い状態となっていることに相当する。負荷指標算出部（71）の算出結果が第２所定値よりも高いか否かは、気流モードを終了させるか否かの制御に利用される。
【００６０】
なお、第２所定値は、室内空間の広さ等に応じて、予め適切な値に設定されることが望ましい。
【００６１】
なお、本実施形態に言う暖房運転には、圧縮機（81）及び室内ファン（31）の運転により、暖められた空気が室内空間（500）に供給される場合の他、室内ファン（31）は運転を継続しているものの圧縮機（81）が一時的に停止する場合（即ちサーキュレーション運転）も含むものとする。但し、後述する気流モードは、圧縮機（81）が停止せず運転している場合に行われるものとする。
【００６２】
風向制御部（73）は、各駆動モータ（54）を作動させることによって各風向調節羽根（51）の位置を個別に制御する。風向制御部（73）の制御の詳細については、“−風向制御部の制御動作−”にて述べる。
【００６３】
回転数制御部（74）は、室内ファンモータ（31a）の制御により、室内ファン（31）の回転速度を制御する。
【００６４】
−室内ユニット内における空気の流れ−
室内ユニット（10）の運転中には、室内ファン（31）が回転する。室内ファン（31）が回転すると、室内空間（500）の室内空気が、吸込口（23）を通ってケーシング（20）内の一次空間（21c）へ流入する。一次空間（21c）へ流入した空気は、室内ファン（31）に吸い込まれ、二次空間（21d）へ吹き出される。
【００６５】
二次空間（21d）へ流入した空気は、室内熱交換器（32）を通過する間に冷却され又は加熱され、その後に四つの主吹出し通路（34a〜34d）と四つの副吹出し通路（35a〜35d）へ分かれて流入する。主吹出し通路（34a〜34d）へ流入した空気は、主吹出し開口（24a〜24d）を通って室内空間（500）へ吹き出される。副吹出し通路（35a〜35d）へ流入した空気は、副吹出し開口（25a〜25d）を通って室内空間（500）へ吹き出される。
【００６６】
即ち、室内空間（500）の空気が吸込口（23）からケーシング本体（21）内に流入し、その後吹出口（26）を介して再び室内空間（500）へと吹き出される空気の流れは、室内ファン（31）によって生成される。
【００６７】
冷房運転中の室内ユニット（10）では、室内熱交換器（32）が蒸発器として機能し、室内空間（500）に吹き出される前の空気は、室内熱交換器（32）を通過する間に冷媒によって冷却される。暖房運転中の室内ユニット（10）では、室内熱交換器（32）が凝縮器として機能し、室内空間（500）に吹き出される前の空気は、室内熱交換器（32）を通過する間に冷媒によって加熱される。
【００６８】
−風向調節羽根の動作−
上述したように、風向調節羽根（51）は、中心軸（53）まわりに回転移動することによって、吹出し気流の方向を変更する。風向調節羽根（51）は、図６に示す水平吹き位置と、図７に示す下吹き位置との間を移動可能となっている。また、風向調節羽根（51）は、図７に示す下吹き位置から更に回転移動することによって、図８に示す気流ブロック位置にも移動可能となっている。
【００６９】
風向調節羽根（51）の位置が図６に示す水平吹き位置になっている場合は、主吹出し通路（34a〜34d）を下向きに流れてきた空気の流れの方向が横方向に変更され、主吹出し開口（24a〜24d）の吹出し気流が水平吹き状態となる。この場合、主吹出し開口（24a〜24d）の吹出し気流の方向（即ち、主吹出し開口（24a〜24d）から吹き出される空気の風向）は、水平方向に対して例えば２５°程度に設定される。この場合、厳密に言えば吹出し気流の方向は水平方向よりも僅かに下向きとなるが、気流の方向は実質的に水平方向であると言って差し支えない。このように、吹出し気流が水平吹き状態となることで、主吹出し開口（24a〜24d）から吹き出される空気は、室内空間（500）の壁（502）に到達可能となる。
【００７０】
なお、上記水平吹き状態は、水平方向に対し下方に約２５°に限定されることはなく、水平方向に対し上方に約２５°、即ち水平方向よりも僅かに上向きとなる状態が含まれても良い。
【００７１】
風向調節羽根（51）の位置が図７に示す下吹き位置になっている場合は、主吹出し通路（34a〜34d）を下向きに流れてきた空気の流れの方向が概ねそのまま維持され、主吹出し開口（24a〜24d）の吹出し気流が下吹き状態となる。この場合、吹出し気流の方向は、厳密に言えば、真下よりも吸込口（23）から離れる方向に若干傾いた斜め下方向となる。
【００７２】
風向調節羽根（51）の位置が図８に示す気流ブロック位置になっている場合は、主吹出し開口（24a〜24d）の大半が風向調節羽根（51）によって塞がれた状態になると共に、主吹出し通路（34a〜34d）を下向きに流れてきた空気の流れの方向が吸込口（23）側に変更される。この場合、主吹出し開口（24a〜24d）を通過する際の空気の圧力損失が大きくなるため、全ての主吹出し開口（24a〜24d）を通過する空気の流量（風量）の合計値は少なくなる。しかし、全ての風向調節羽根（51）が図６または図７の位置である状態から、一部の風向調節羽根（51）の位置が気流ブロック位置に変更された場合、図６または図７の位置である残りの風向調節羽根（51）に対応した主吹出し開口（24a〜24d）それぞれを通過する空気の流量（風量）は、変更前に比して増加する。即ち、全ての風向調節羽根（51）のうちの一部が、図６または図７の位置である状態から気流ブロック位置（図８）へと変更された場合、空気調和装置（100）全体の吹出し風量は減少するが、変更前後において図６または図７の状態である主吹出し開口（24a〜24d）単位で見ると、風量は、変更前よりも変更後の方が増加することとなる。
【００７３】
また、気流ブロック位置では、空気は、主吹出し開口（24a〜24d）から吸込口（23）側へ向かって吹き出される。このため、主吹出し開口（24a〜24d）から吹き出された空気は、すぐに吸込口（23）へ吸い込まれることとなる。つまり、風向調節羽根（51）が気流ブロック位置となっている主吹出し開口（24a〜24d）からは、空気が室内空間（500）へ実質的に供給されない。
【００７４】
−風向制御部の制御動作−
〈暖房運転時の基本的な気流について〉
先ず、本実施形態に係るモータ制御部（72）の制御動作の本質について、図９を参照しつつ説明する。
【００７５】
−通常モード及び気流モードについて−
本実施形態に係る暖房運転においては、図９に示すように、通常モードと気流モードとの２つのモードが存在する。特にことわりのない限り、暖房運転は、通常モードにて実行される。
【００７６】
暖房運転における通常モードでは、図９の「通常モード」内にて示されるように、モータ制御部（72）は、主吹出し開口（24a〜24d）から吹き出される空気の風向及び風量を共に自動と設定して、各風向調節羽根（51）及び室内ファン（31）の制御を行う。
【００７７】
なお、通常モードにおいて風向が自動の場合、風向調節羽根（51）の位置は基本的には図７の下向き位置となる。通常モードにおいて風量が自動の場合、室内ファン（31）は、室内ファン（31）の最大回転数に比べて十分に低い回転数で回転する。
【００７８】
図９の「通常モード」から「気流モード」に向かって延びる矢印の上部に示すように、暖房運転における通常モード実行中において熱交換温度センサ（61）の検知結果（即ち、室内熱交換器（32）の温度）が第１所定値よりも高くなると、モータ制御部（72）の風向制御部（73）は、暖房運転におけるモードを、主吹出し開口（24a〜24d）から吹き出される空気を少なくとも水平に吹かせる気流モードへと切り換えて、風向調節羽根（51）を制御する。また、暖房運転におけるモードが通常モードから気流モードに切り換えられる際、気流モードでの運転積算時間（後述）は、所定時間未満である条件も満たすこととする。
【００７９】
なお、第１所定値は、予め例えば３５度程度に設定されることが望ましい。
【００８０】
一般的に、暖房運転は、冬季のように外気温度が比較的低い場合に行われ、暖房運転中には、室内空間（500）の壁付近から冷気が室内空間（500）内部へと進入してくる場合がある。冷気の室内空間（500）内部への進入を許せば、暖房運転の効果は薄らいでしまう。これに対し、本実施形態では、暖房運転における通常モード時に熱交換温度センサ（61）の検知結果が第１所定値よりも高くなった場合、上述した気流モードにて暖房運転が行われる。暖房運転における通常モード時に熱交換温度センサ（61）の検知結果が第１所定値よりも高くなったということは、室内熱交換器（32）では、ある程度高い温度まで空気が暖められていることに相当する。それ故、通常モードから気流モードに切り換えて、主吹出し開口（24a〜24d）から吹き出される確実に暖かい空気を、少なくとも水平方向に供給する動作が行われる。この空気は、室内空間（500）の壁（502）に到達し、壁（502）に沿って下方へと流れる。これにより、室内空間（500）の壁（502）は暖かい空気によって暖められ、室内空間（500）の壁（502）の温度は上昇する。壁（502）に到達した空気は、壁（502）から室内空間（500）に進入してくる冷気の流れを遮断する。従って、室内空間（500）の中央部と周辺部（壁付近）における気温の差は縮小され、室内空間（500）は、やがて暖かい空気によって包み込まれる。
【００８１】
更に、本実施形態の気流モードでは、図９の「気流モード」内にて示されるように、主吹出し開口（24a〜24d）から吹き出される空気量（風量）を、暖房運転時における熱交換温度センサ（61）の検知結果が第１所定値よりも低い場合（通常モードの場合）よりも増大させる制御も行われる。
【００８２】
風量を増大させる方法としては、以下の（Ｉ）〜（ＩＩＩ）が挙げられる。
（Ｉ）風向制御部（73）は、４つの風向調節羽根（51）のうち任意の風向調節羽根（51）を、図８で示した気流ブロック位置にする。
（ＩＩ）回転数制御部（74）は、室内ファン（31）の回転数を通常モード時よりも高くする制御を行う。
（ＩＩＩ）風向制御部（73）は、任意の風向調節羽根（51）を図８の気流ブロック位置にさせ、且つ、回転数制御部（74）は、室内ファン（31）の回転数を通常モード時よりも高くする制御を行う。
【００８３】
上記（Ｉ）の方法では、気流モード時、例えば１つの主吹出し開口（24a）の風向調節羽根（51）を気流ブロック位置とし、残りの主吹出し開口（24b〜24d）の風向調節羽根（51）を水平吹き状態（水平吹き位置）に設定する。つまり、（Ｉ）の方法では、気流モード時の主吹出し開口（24a〜24d）の開口総面積が、通常モード時よりも小さくなると言える。この場合、主吹出し開口（24a）から室内空間（500）へは、空気の吹き出しが実質的になされない。しかし、残りの主吹出し開口（24b〜24d）から室内空間（500）には、個々の主吹出し開口（24b〜24d）に着目すると、通常モード時よりも風量の増大した空気が、少なくとも概ね水平方向に吹き出されることになる。
【００８４】
上記（ＩＩ）の方法では、室内ファン（31）の回転数が高められる。そのため、水平吹き位置に設定されている主吹出し開口（24a〜24d）からは、風量が高められた空気が概ね水平方向に吹き出されることは、言うまでもない。
【００８５】
上記（ＩＩＩ）の方法は、（Ｉ）の方法及び（ＩＩ）の方法が共に採用された場合を表している。この場合、水平吹き位置を採る風向調節羽根（51）が設けられた主吹出し開口（24a〜24d）からは、上記（Ｉ）及び（ＩＩ）よりも風量が高められた空気が、水平方向に吹き出される。
【００８６】
上記（Ｉ）〜（ＩＩＩ）のいずれかの方法によって風量が高められることにより、風速も当然高められ、比較的暖かい空気は、室内空間（500）の壁付近に確実に到達する。従って、室内空間（500）の壁（502）は、通常モードに比してより確実に暖められ、壁（502）から室内空間（500）に進入してくる冷気の流れは、より確実に遮断される。
【００８７】
−気流モードの終了条件について−
次に、上述した気流モードの終了条件について、同じく図９を参照しつつ説明する。
【００８８】
図９の「気流モード」から「通常モード」に向かって延びる矢印の下部に示すように、室内制御部（70）のモータ制御部（72）及び室外制御部（85）の圧縮機制御部（86）は、暖房運転における気流モードにおいて以下の条件（Ａ）〜（Ｃ）のいずれかが成立した場合、気流モードを終了させるモード終了制御を行う。
（Ａ）暖房運転における気流モード時の負荷指標算出部（71）の算出結果（室内空間（500）の負荷を表す指標）が、第２所定値よりも低くなった場合
（Ｂ）暖房運転における気流モード時での運転積算時間が、所定時間に達した場合
（Ｃ）運転種類が、暖房運転から暖房運転以外の運転に切り換えられた場合
上記（Ａ）では、暖房運転における気流モードの実行によって室内空間（500）がある程度暖まってくると、吸込温度、つまりは室内空間（500）内の温度が設定温度に近付いていく。吸込温度と設定温度との差が所定差よりも小さくなることで、室内空間（500）の負荷を表す指標は、第２所定値よりも低くなる。この場合、モータ制御部（72）及び圧縮機制御部（86）は、室内空間（500）が十分に暖まっておりこれ以上気流モードを実行する必要はないと判断し、モード終了制御を行う。
【００８９】
モード終了制御では、モータ制御部（72）は、熱交換温度センサ（61）が常時検知している室内熱交換器（32）の温度をモニターし続ける。モード終了制御では、先ず、圧縮機制御部（86）は、熱交換温度センサ（61）の検知結果である室内熱交換器（32）の温度が第３所定値以下となるように、圧縮機（81）の運転周波数を、モード終了制御の開始直前よりも低下させる。圧縮機（81）の運転周波数が低下すると圧縮機（81）の能力自体が低下するため、これに伴って、室内熱交換器（32）の温度も下がっていく。室内熱交換器（32）の温度がやがて第３所定値以下となると、モータ制御部（72）の風向制御部（73）は、各風向調節羽根（51）の風向を自動に切り換え、モータ制御部（72）の回転数制御部（74）は、風量を自動に切り換える。即ち、モード終了制御を経て室内熱交換器（32）の温度が第３所定値以下となると、暖房運転におけるモードは、通常モードに切り換えられる。通常モード切り換え後の風向は、基本的には図７の下向き位置となり、通常モード切り換え後の風量は、気流モード時よりも小さくなる。
【００９０】
ここで、モード終了制御にて用いられる上記第３所定値は、通常モードから気流モードへの切換に用いられる第１所定値以下に設定される。特に、第３所定値は、第１所定値よりも低く設定されることが好ましい。一例としては、第１所定値及び第３所定値をいずれも約３５℃付近にて設定するとした場合、第１所定値を約３６℃、第３所定値を約３４℃と設定することができる。第１所定値及び第３所定値は、いずれも室内熱交換器（32）の温度の閾値であるが、実際の室内熱交換器（32）の温度は、厳密に一定の温度を保っているわけではなく、所定の幅の間でふらついている。すると、第１所定値及び第３所定値の値によっては、室内熱交換器（32）の温度が短時間の間に第１所定値及び第３所定値を上回ったり下回ったりし、その結果、モードが頻繁に切り替わるハンチングが生じる虞がある。それ故、本実施形態では、第１所定値を、第３所定値よりも例えば２℃ほど高く設定することで、モードの切り換え動作のハンチングを防止している。
【００９１】
上記（Ｂ）では、モータ制御部（72）は、気流モードの実行時間を積算していく。図９の「通常モード」から「気流モード」に向かって延びる矢印の上部に示すように、通常モード時、気流モードでの運転積算時間が所定時間に達していなければ、通常モードから気流モードに再び切り換えることが可能となる。そこで、気流モードが一旦終了したがその後再開されたような場合であれば、モータ制御部（72）は、一旦終了する前までの気流モードの運転積算時間に、再開後の気流モードでの運転時間を加算することで、気流モードでの運転積算時間を更新する。上記（Ｂ）のように、気流モード実行中に気流モードでの運転積算時間が所定時間に達した場合、モータ制御部（72）及び圧縮機制御部（86）は、室内空間（500）内は気流モードによって十分に暖められたためこれ以上気流モードを実行する必要はないと判断し、モード終了制御を行う。
【００９２】
上記（Ｂ）でのモード終了制御の詳細は、上記（Ａ）にて説明したモード終了制御と同様である。
【００９３】
なお、運転積算時間は、例えばリモートコントローラ（90）を介して設定が変更された場合にリセットされると良い。この場合の設定には、暖房運転から冷房運転への運転種類の切り換え、気流モードを強制的にオフにする設定等が該当する。
【００９４】
上記（Ｃ）では、空気調和装置（100）の運転種類が暖房運転から暖房運転以外の運転に切り換えられた場合を表しているが、暖房運転以外の運転としては、例えばデフロスト運転及び冷房運転が挙げられる。本実施形態に係る気流モードは、暖房運転におけるモードであるため、空気調和装置（100）の運転種類が暖房運転以外に切り換えられると、気流モードを実行する意味がなくなってしまう。それ故、上記（Ｃ）が満たされた場合、モード終了制御が行われるのである。
【００９５】
上記（Ｃ）でのモード終了制御の詳細は、上記（Ａ）にて説明したモード終了制御と同様である。
【００９６】
なお、モード終了制御が実行される条件は、上記（Ａ）〜（Ｃ）以外に存在していてもよい。他の条件としては、圧縮機（81）が運転を一時的に停止するような場合（いわゆるサーモオフ状態）等が挙げられる。
【００９７】
〈暖房運転時の気流の応用例：気流ローテーションについて〉
次に、上述した気流モードの応用例である気流ローテーションについて述べる。気流ローテーションは、暖房運転における通常モード時の熱交換温度センサ（61）の検知結果が第１所定値よりも高く且つ気流モードでの運転積算時間が所定時間未満である場合に、気流モードとして行われる。
【００９８】
応用例では、室内ユニット（10）が後述する通常吹出し動作、第１吹出し動作、及び第２吹出し動作を実行できるように、風向制御部（73）は、風向調節羽根（51）の位置を制御する。更に、風向制御部（73）は、室内ユニット（10）が図１０に示す気流ローテーションを行うように、各主吹出し開口（24a〜24d）に設けられた風向調節羽根（51）の位置を変更する制御を行う。図１０では、気流ローテーションの一つのサイクルにおいて、一回目の通常吹出し動作、第１吹出し動作、二回目の通常吹出し動作、第２吹出し動作が順に行われる。つまり、気流ローテーションの一つのサイクルでは、二回の通常吹出し動作と、一回の第１吹出し動作と、一回の第２吹出し動作とが行われる。
【００９９】
なお、気流ローテーション中、室内ファン（31）の回転速度は実質的に一定に保たれているとする。また、気流ローテーション中、風量を高める方法として、上記（Ｉ）が採用された場合を例に取る。
【０１００】
なお、以下では、説明の便宜上、図２、図５及び図１０に示すように、化粧パネル（22）の互いに対向する二つの辺に沿った第２主吹出し開口（24b）及び第４主吹出し開口（24d）を「第１開口（24X）」、残りの第１主吹出し開口（24a）及び第３主吹出し開口（24c）を「第２開口（24Y）」と言う。
【０１０１】
暖房運転時の通常吹出し動作において、風向制御部（73）は、全ての主吹出し開口（24a〜24d）の風向調節羽根（51）を、下吹き位置に設定する。このため、暖房運転時の通常吹出し動作では、四つの主吹出し開口（24a〜24d）から空気が下向きに吹き出される。
【０１０２】
暖房運転時の第１吹出し動作において、風向制御部（73）は、第１開口（24X）を構成する二つの主吹出し開口（24b,24d）の風向調節羽根（51）を水平吹き位置に設定し、第２開口（24Y）を構成する二つの主吹出し開口（24a,24c）の風向調節羽根（51）を気流ブロック位置に設定する。このため、空気は、第２主吹出し開口（24b）及び第４主吹出し開口（24d）から室内空間（500）へ吹き出され、第１主吹出し開口（24a）及び第３主吹出し開口（24c）からは室内空間（500）へ実質的に吹き出されない。また、第２主吹出し開口（24b）及び第４主吹出し開口（24d）の吹出し風量及び風速は、通常吹出し動作における吹出し風量及び風速よりも高くなる。つまり、第１吹出し動作では、第２主吹出し開口（24b）及び第４主吹出し開口（24d）から、空気が、通常吹出し動作中よりも増大された風量及び高い流速で、実質的に水平方向へ向かって吹き出される。
【０１０３】
暖房運転時の第２吹出し動作において、風向制御部（73）は、第２開口（24Y）を構成する二つの主吹出し開口（24a,24c）の風向調節羽根（51）を水平吹き位置に設定し、第１開口（24X）を構成する二つの主吹出し開口（24b,24d）の風向調節羽根（51）を気流ブロック位置に設定する。このため、空気は、第１主吹出し開口（24a）及び第３主吹出し開口（24c）から室内空間（500）へ吹き出され、第２主吹出し開口（24b）及び第４主吹出し開口（24d）からは室内空間（500）へ実質的に吹き出されない。また、第１主吹出し開口（24a）及び第３主吹出し開口（24c）の吹出し風量及び風速は、通常吹出し動作における吹出し風量及び風速よりも高くなる。つまり、第２吹出し動作では、二つの第１主吹出し開口（24a）及び第３主吹出し開口（24c）から、調和空気が、通常吹出し動作中よりも増大された風量及び高い流速で、実質的に水平方向へ向かって吹き出される。
【０１０４】
なお、通常吹出し動作、第１吹出し動作、及び第２吹出し動作の何れにおいても、副吹出し開口（25a〜25d）からは空気が吹き出される。
【０１０５】
また、図１０に示す暖房運転時の気流ローテーションの一つのサイクルでは、一回目の通常吹出し動作の継続時間、第１吹出し動作の継続時間、二回目の通常吹出し動作の継続時間、及び第２吹出し動作の継続時間のそれぞれが、互いに同じ時間（例えば、１２０秒）に設定される。
【０１０６】
〈暖房運転時の室内空間の温度分布〉
暖房運転時の室内空間（500）の温度分布について、図１１を参照しながら説明する。
【０１０７】
図１１は、室内ユニット（10）の暖房運転中における室内空間（500）の温度分布のシミュレーション結果を示している。図１１は、室内ユニット（10）が暖房運転を開始してから２０分後の、室内空間（500）の床面から６０ｃｍの位置における気温を示している。また、図１１では、ハッチングの密度が高い領域ほど気温が高い。
【０１０８】
なお、シミュレーションの対象となる部屋は、床面が概ね正方形状であり、中央にパーティション（510）が設けられた細長い二つのデスク（511）が平行に配置されている。また、室内ユニット（10）は、室内空間（500）の天井の概ね中央に配置されている。
【０１０９】
まず、室内空間（500）に従来の室内ユニット（610）が設置されている場合の、室内空間（500）の温度分布について、図１１の(ａ)を参照しながら説明する。
【０１１０】
暖房運転時において、従来の室内ユニット（610）では、上述した通常モードと同様、全ての主吹出し開口（24a〜24d）の風向調節羽根（51）が例えば下吹き位置に設定される。そして、従来の室内ユニット（610）は、室内熱交換器（32）を通過する際に加熱された空気を、全ての主吹出し開口（24a〜24d）から実質的に床面に向かって吹き出す。
【０１１１】
図１１の(ａ)に示すように、室内空間（500）では、室内ユニット（610）の下方に位置する中央部の領域において、気温が非常に高くなっている。これは、室内ユニット（610）から下向きに吹き出された暖かい調和空気が、二つのパーティション（510）に挟まれた室内空間（500）の中央部の領域に滞留するからだと推定される。
【０１１２】
一方、室内空間（500）では、室内ユニット（610）から離れた周辺部の領域において、気温が充分に上昇していない。これは、室内ユニット（610）から下向きに吹き出された暖かい調和空気が、パーティション（510）よりも壁（502）側の領域に到達できないからだと推定される。
【０１１３】
次に、室内空間（500）に本実施形態の室内ユニット（10）が設置されており、上述した応用例である気流ローテーションが気流モードとして行われる場合の室内空間（500）の温度分布について、図１１の(ｂ)を参照しながら説明する。
【０１１４】
通常吹出し動作では、室内ユニット（10）から下向きに吹き出された暖かい調和空気が、二つのパーティション（510）に挟まれた室内空間（500）の中央部の領域に供給される。このため、室内空間（500）では、室内ユニット（10）の下方に位置する中央部の領域において、気温が上昇する。ただし、通常吹出し動作が間欠的に行われるため、室内空間（500）の中央部の領域における気温が過度に上昇することは無い。
【０１１５】
一方、第１吹出し動作および第２吹出し動作では、室内ユニット（10）から吹き出された暖かい調和空気が、概ね水平方向へ、通常吹出し動作中よりも増大された風量及び高い流速で吹き出される。従って、第１吹出し動作および第２吹出し動作では、室内ユニット（10）から吹き出された暖かい調和空気が、パーティション（510）の上方を流れて室内空間（500）の壁（502）にまで到達する。このため、室内空間（500）では、室内ユニット（10）から離れた周辺部の領域においても、気温が上昇する。
【０１１６】
また、第１吹出し動作および第２吹出し動作では、室内ユニット（10）から吹き出された暖かい調和空気が、室内空間（500）の壁（502）にまで到達し、壁（502）に沿って下方へと流れる。このため、室内空間（500）の壁（502）が調和空気によって暖められ、その結果、室内空間（500）の壁（502）の温度が上昇する。従って、室内空間（500）の周辺部の領域では、壁（502）が調和空気によって暖められることによっても、気温の低下が抑えられる。
【０１１７】
このように、暖房運転時における上記気流ローテーションでは、従来の室内ユニット（610）が暖房運転を行う場合に比べて、室内空間（500）の中央部と周辺部における気温の差が大幅に縮小する。
【０１１８】
〈冷房運転時の気流について〉
冷房運転では、風向制御部（73）は、例えば全ての主吹出し開口（24a〜24d）の風向調節羽根（51）を、水平吹き位置と下吹き位置との間で往復移動させる。これにより、主吹出し開口（24a〜24d）から吹き出される比較的冷たい空気の気流は、各風向調節羽根（51）の動作に応じて変動する。
【０１１９】
−本実施形態の効果−
本実施形態の空気調和装置（100）は、暖房運転時、室内熱交換器（32）の温度が第１所定値よりも高い場合、気流モードに移行して運転を行う。気流モードでは、吹出し開口（24a〜24d）からは、暖められた空気（暖気）が、少なくとも水平方向に吹き出される。これにより、暖気は、室内空間（500）の壁付近に到達することができ、壁付近から室内空間（500）内への冷気の流れは、暖気により遮断される。従って、壁付近から室内空間（500）への冷気の進入は防がれ、室内空間（500）の中央部と周辺部（壁付近）における気温の差は縮小される。更に、暖気は、室内空間（500）の壁を伝って流れるため、室内空間（500）全体が暖気で包まれる。
【０１２０】
また、本実施形態では、暖房運転における気流モード時、更に、吹出し開口（24a〜24d）から吹き出される空気の風量が、暖房運転時における室内熱交換器（32）の温度が第１所定値よりも低い場合（通常モードの場合）に比して増大される。これにより、気流モード時、暖気は、室内空間（500）の壁付近により到達し易くなる。従って、壁付近から室内空間（500）への冷気の進入を、より確実に防ぐことができる。
【０１２１】
また、実施形態では、暖房運転における気流モード時の室内空間（500）の負荷を表す指標が第２所定値よりも低い場合、該気流モードを終了させるモード終了制御が行われる。気流モードの実行によって、室内空間（500）の壁付近から室内空間（500）内への冷気の進入が抑制され且つ室内空間（500）全体が暖まると、室内空間（500）内は低負荷となる。そこで、本実施形態では、暖房運転における気流モードの実行によって室内空間（500）内が低負荷となった場合、これ以上の気流モードの実行は不要のため、気流モードが終了される。つまり、気流モードは、必要な場合に限り実行されると言える。
【０１２２】
また、本実施形態では、上記指標は、暖房運転における気流モード時の設定温度と吸込温度との差によって判断される。このように、室内空間（500）の負荷を表す指標は、簡単な方法によって判断されると言える。
【０１２３】
また、本実施形態に係るモード終了制御では、圧縮機制御部（86）は、熱交換温度センサ（61）の検知結果が第３所定値以下となるように圧縮機（81）の運転周波数を直前の状態から低下させる制御が行われる。圧縮機（81）の運転周波数が低くなることで圧縮機（81）の能力が低下し、室内熱交換器（32）の温度や空気の吹出し温度は低下する。熱交換温度センサ（61）の検知結果が第３所定値以下となると、気流モードは終了される。
【０１２４】
特に、気流モードが終了する際の閾値である第３所定値は、気流モード移行時の閾値である第１所定値以下となっている。特に、室内熱交換器（32）の温度や空気の吹出し温度は、ある程度の範囲内にて上下するため、気流モード終了時の閾値である第３所定値は、第１所定値よりも低くすることが好ましい。これにより、モータ制御部（72）及び圧縮機制御部（86）は、熱交換温度センサ（61）の検知結果が上下する現象に影響されることなく、気流モードを終了させることができる。
【０１２５】
また、暖房運転における気流モードでの運転積算時間が所定時間に達した場合にも、モード終了制御が行われる。暖房運転における気流モードでの運転積算時間が所定時間に達したということは、気流モードが十分な時間実行されたことを意味する。気流モードが十分な時間実行されれば、室内空間（500）の壁付近からの冷気の進入も十分に抑制され、室内空間（500）はある程度暖まった状態となる。そこで、気流モードでの運転積算時間が所定時間に達した場合、モータ制御部（72）及び圧縮機制御部（86）は、モード終了制御を行う。これにより、不必要に気流モードが実行されずに済む。
【０１２６】
−上記実施形態の変形例１−
熱交換温度センサ（61）の代わりに、図１２に示すように、吹出し温度センサ（161）が第１温度検知部として設けられてもよい。
【０１２７】
吹出し温度センサ（161）は、吹出し開口（24a〜24d）付近に設けられ、吹出し開口（24a〜24d）から吹出される空気の温度を検知する。
【０１２８】
この場合、モータ制御部（72）は、暖房運転時、吹出し温度センサ（161）の検知結果である吹出し空気の温度が第１所定値よりも高い場合に、気流モードにて風向調節羽根（51）を制御する。また、モード終了制御では、室内熱交換器（32）の温度に代えて吹出し温度がモニターされ、吹出し温度が第３所定値以下となるにように圧縮機（81）の運転周波数を低下する制御が行われる。そして、吹出し温度が第３所定値以下となった時、気流モードは終了する。
【０１２９】
このように、室内熱交換器（32）の温度に代えて吹出し温度を用いたとしても、上記実施形態と同様の作用及び効果が得られる。
【０１３０】
−上記実施形態の変形例２−
室内ユニット（10）は、天井埋め込みタイプに限定されない。室内ユニット（10）は、天井吊り下げタイプまたは壁掛けタイプであってもよい。室内ユニット（10）がどのようなタイプであっても、暖房運転時に室内熱交換器（32）の温度または吹出し温度が第１所定値よりも高い場合、吹出し開口（24a〜24d）から吹き出される空気を少なくとも水平に吹かせる気流モードが実行されれば良い。
【０１３１】
なお、天井設置タイプ及び壁掛けタイプでは、気流モード時、コアンダ効果を利用して天井埋め込みタイプ時の水平よりも若干上向きに空気が吹き出されても良い。
【０１３２】
−上記実施形態の変形例３−
水平吹き位置である風向調節羽根（51）の水平方向に対する角度は、主吹出し開口（24a〜24d）から吹き出される空気が室内空間（500）の壁付近に到達できる程度に、室内ユニット（10）の位置から室内空間（500）の壁面までの距離に応じて適宜微調整されていてもよい。室内ユニット（10）の位置から室内空間（500）の壁面までの距離は、室内ユニット（10）を室内空間（500）に据え付ける際に据付作業者によって測定され室内制御部（70）に入力されてもよいし、当該距離を測定するためのセンサが予め室内ユニット（10）に取り付けられていても良い。
【０１３３】
−上記実施形態の変形例４−
一旦気流モードを行った後に再び気流モードを行うかどうかを判断する際、通常モードから気流モードへの移行条件として、既に述べた室内熱交換器（32）の温度または吹出し温度に関する条件及び気流モードでの運転積算時間の条件に加え、室内空間（500）の床温度と吸込温度との差が一定差以上である条件が課されても良い。この場合、室内空間（500）の床温度は、床温度センサ（図示せず）を用いて検知することが好ましい。
【０１３４】
しかし、暖房運転中、床温度センサは、吹き出された空気の影響により、実床温度よりも高く検知し易い。そこでこの場合、床温度センサの検知結果に対し補正を行い、補正後の床温度センサの検知結果と、補正を行っていない吸込温度センサ（62）の検知結果との差が一定差以上である条件を課すと更に好ましい。
【０１３５】
上記一定差は、室内空間（500）の環境に応じた値に、リモートコントローラ（90）を介して適宜設定変更されてもよい。
【０１３６】
なお、気流モードでの運転積算時間は、必ずしも算出されていなくてもよい。気流モードでの運転積算時間が算出されない場合、モードの移行条件の中から、運転積算時間に関する条件は省かれる。
【０１３７】
−上記実施形態の変形例５−
負荷指標算出部（71）は、室内空間（500）の負荷を表す指標の算出の際、吸込温度センサ（62）の検知結果そのものを利用するのではなく、吸込温度センサ（62）の検知結果を補正した値を利用してもよい。これにより、室内空間（500）の実際の負荷を精度良く表した指標が得られる。主吹出し開口（24a〜24d）や副吹出し開口（25a〜25d）から吹き出された空気が、室内空間（500）を循環せずに直ちに吸込口（23）からケーシング（20）内に吸い込まれる場合に有効である。
【０１３８】
−上記実施形態の変形例６−
暖房運転における気流モード時の室内空間（500）の負荷を表す指標を算出する方法は、設定温度と吸込温度センサ（62）の検知結果とを利用した方法に限定されずとも良い。例えば、吸込温度センサ（61）の検知結果と室内空間（500）の床温度との平均値を用いて上記指標が算出されてもよい。この場合、吸込温度センサ（62）の検知結果そのものではなく、補正後の吸込温度センサ（62）の検知結果が利用されても良い。
【０１３９】
更に、上記指標は、室内空間（500）の壁面負荷や床面負荷から判断されてもよい。
【０１４０】
更に、上記指標が算出されるタイミングとしては、所定時間間隔毎であってもよいし、室内空間（500）の利用者によってリモートコントローラを介して操作された時であってもよい。
【０１４１】
−上記実施形態の変形例７−
暖房運転時の室内空間（500）の負荷を表す指標の算出には、吸込温度センサ（62）に代えて、室内空間（500）に個別に設置された室内の温度検知用のセンサの検知結果、またはその補正結果が利用されてもよい。なお、個別に設置される室内の温度検知用のセンサの種類は、有線を用いた通信を行うもののみならず、無線通信を行うものであってもよい。
【０１４２】
−上記実施形態の変形例８−
主吹出し開口（24a〜24d）の数は、４つに限定されず、例えば１つまたは２つであってもよい。
【０１４３】
−上記実施形態の変形例９−
室内ユニット（10）は、風向調節羽根（51）とは別途、主吹出し開口（24a〜24d）を塞ぐためのシャッタを、気流阻害機構として備えていてもよい。この場合、気流阻害機構は、主吹出し開口（24a〜24d）に対応して設けられることが好ましく、例えば開閉式のシャッタで構成されることができる。
【０１４４】
−上記実施形態の変形例１０−
上述した気流モードの応用例（気流ローテーション）は、図１０に限定されず、例えば通常吹出し動作と、第１吹出し動作と、第２吹出し動作とを順に繰り返し行うような動作であってもよい。
【０１４５】
−上記実施形態の変形例１１−
また、気流モードの応用例（気流ローテーション）における第１吹出し動作および第２吹出し動作は、隣り合う二つの主吹出し開口（24a〜24d）から空気を室内空間（500）へ供給し、残りの隣り合う二つの主吹出し開口（24a〜24d）の風向調節羽根（51）を気流ブロック位置とする動作であってもよい。
【０１４６】
−上記実施形態の変形例１２−
風量を高める制御は、必須ではない。また、風量を高める制御が行われる場合は、上記（Ｉ）〜（ＩＩＩ）以外の方法が採用されてもよい。
【０１４７】
従って、上記気流ローテーションにおいて、風量を高める方法として、上記（Ｉ）の方法に代えて上記（ＩＩ）または（ＩＩＩ）が採用されてもよいし、（Ｉ）〜（ＩＩＩ）以外の方法が採用されてもよい。
【０１４８】
−上記実施形態の変形例１３−
気流ローテーションにおける各動作の継続時間は、互いに同じ時間（例えば、１２０秒）ではなく、異なっていても良い。
【０１４９】
−上記実施形態の変形例１４−
風量を高める制御として上記（Ｉ）または（ＩＩＩ）が採用された場合、図８の気流ブロック位置を採ることに代えて、風向調節羽根（51）は、対応する主吹出し開口（24a〜24d）を完全に閉じてもよい。
【０１５０】
−上記実施形態の変形例１５−
気流モードの終了条件として、上記実施形態では、条件（Ａ）〜（Ｃ）について説明した。しかし、気流モードの終了条件は、必ずしも上記（Ａ）〜（Ｃ）に限定されずともよく、上記（Ａ）〜（Ｃ）以外の条件が成立した場合に気流モードは終了しても良い。
【０１５１】
−上記実施形態の変形例１６
気流モードのモード終了制御は、圧縮機（81）の運転周波数を低下させて室内熱交換器（32）の温度を低下させる動作以外であっても良い。また、モード終了制御にて利用される第３所定値は、必ずしも第１所定値以下でなくてもよい。
【産業上の利用可能性】
【０１５２】
以上説明したように、本発明は、室内空間に空気を吹き出す室内ユニットを備えた空気調和装置について有用である。
【符号の説明】
【０１５３】
10  室内ユニット
20  ケーシング（室内ケーシング）
24a〜24d  主吹出し開口（吹出し開口）
51  風向調節羽根
61  熱交換温度センサ（第１温度検知部）
62  吸込温度センサ（第２温度検知部）
71  負荷指標算出部
72  モータ制御部（制御部）
81  圧縮機
86  圧縮機制御部
100  空気調和装置
500  室内空間
【図１】
2017110880.tif 000003
【図２】
2017110880.tif 000004
【図３】
2017110880.tif 000005
【図４】
2017110880.tif 000006
【図５】
2017110880.tif 000007
【図６】
2017110880.tif 000008
【図７】
2017110880.tif 000009
【図８】
2017110880.tif 000010
【図９】
2017110880.tif 000011
【図１０】
2017110880.tif 000012
【図１１】
2017110880.tif 000013
【図１２】
2017110880.tif 000014
【手続補正書】
【提出日】平成29年3月15日(2017.3.15)
【手続補正１】
【補正対象書類名】明細書
【補正対象項目名】全文
【補正方法】変更
【補正の内容】
【発明の詳細な説明】
【技術分野】
【０００１】
本発明は、室内空間に空気を吹き出す室内ユニットを備えた空気調和装置に関するものである。
【背景技術】
【０００２】
従来より、例えば特許文献１に開示されているような空気調和装置が知られている。特許文献１の空気調和装置は、天井付近に設置された室内ユニットを備え、室内ユニットは、室内熱交換器（熱交換器）を有する。特許文献１では、暖房運転時、室内熱交換器の温度が所定値よりも低い場合、空気の吹出し方向を水平方向とすることで、未だ暖まっていない空気が直接在室者に当たらないようにし、コールドドラフトを防止している。また、特許文献１では、室内熱交換器の温度が所定値よりも高い場合、空気の吹出し方向を下方とすることで、暖かい空気（即ち暖気）が在室者の足下に届くようにしている。
【先行技術文献】
【特許文献】
【０００３】
【特許文献１】特開２０１３−１８１６７１号公報
【発明の概要】
【発明が解決しようとする課題】
【０００４】
一般的に、暖房運転は、例えば冬季のように外気温度が比較的低い場合に行われるため、暖房運転時、室内空間には壁付近から冷気が進入し易い。
【０００５】
これに対し、特許文献１では、室内熱交換器の温度が所定値よりも低い場合、未だ暖まっていない空気が水平に吹き出されるため、冷気の進入し易い壁付近はかえってより冷やされてしまう。特に、特許文献１では、室内熱交換器の温度が所定値よりも高い場合、暖かい空気が下方に吹き出されて室内ユニットの真下は暖められるものの、室内空間には依然として壁付近から冷気が進入する。すると、室内空間の例えば中央部と壁付近との温度差は、依然として大きい状態が保たれてしまう。
【０００６】
本発明は、かかる点に鑑みてなされたものであり、その目的は、室内空間の壁付近からの冷気の進入を防ぐことである。
【課題を解決するための手段】
【０００７】
第１の発明は、室内空間（500）に空気を吹き出す室内ユニット（10）を備えた空気調和装置であって、吹出し開口（24a〜24d）が形成された室内ケーシング（20）と、上記吹出し開口（24a〜24d）に設けられ、該吹出し開口（24a〜24d）から吹き出される空気の風向を上下方向に変更するための風向調節羽根（51）と、上記室内ケーシング（20）内部に設けられており、暖房運転時、上記吹出し開口（24a〜24d）から吹き出される前の空気を冷媒によって加熱する室内熱交換器（32）と、上記室内熱交換器（32）の温度または上記吹出し開口（24a〜24d）から吹き出される空気の温度を検知する第１温度検知部（61）と、上記暖房運転時、上記第１温度検知部（61）の検知結果が第１所定値よりも高い場合、上記吹出し開口（24a〜24d）から吹き出される空気を水平方向または水平よりも上方向に吹かせる気流モードにて、上記風向調節羽根（51）を制御する制御部（72）とを備え、上記制御部（72）は、上記気流モードにおいて、上記吹出し開口（24a〜24d）から吹き出される空気の風量を、上記暖房運転時における上記第１温度検知部（61）の検知結果が上記第１所定値よりも低い場合に比して増大させることを特徴とする空気調和装置である。
【０００８】
この空気調和装置は、暖房運転時、室内熱交換器（32）の温度または空気の吹出し温度が第１所定値よりも高い場合、気流モードに移行して運転を行う。気流モードでは、吹出し開口（24a〜24d）からは、暖められた空気（即ち暖気）が、水平方向または水平よりも上方向に吹き出される。これにより、暖気は、室内空間（500）の壁付近に到達することができ、壁付近から室内空間（500）内への冷気の流れは、暖気により遮断される。従って、壁付近から室内空間（500）への冷気の進入は防がれ、室内空間（500）の中央部と周辺部（壁付近）における気温の差は縮小される。更に、暖気は、室内空間（500）の壁を伝って流れるため、室内空間（500）全体が暖気で包まれる。
【０００９】
特に、暖房運転における気流モード時、風量が増大するため、暖気は、室内空間（500）の壁付近により到達し易くなる。従って、壁付近から室内空間（500）への冷気の進入を、より確実に防ぐことができる。
【００１０】
なお、上述した気流モード時の“風量の増大”とは、仮に吹出し開口（24a〜24d）が複数ある場合は、任意の一つの吹出し開口（24a〜24d）に着目し、該開口から吹き出される空気の風量が、第１温度検知部（61）の検知結果が第１所定値よりも低い場合よりも増量することを意味する。
【００１１】
第２の発明は、第１の発明において、上記室内空間（500）の負荷を表す指標を算出する負荷指標算出部（71）、を更に備え、上記制御部（72,86）は、上記暖房運転における上記気流モード時の上記指標が第２所定値よりも低い場合、該気流モードを終了させるモード終了制御を行うことを特徴とする空気調和装置である。
【００１２】
気流モードの実行によって、室内空間（500）の壁付近から室内空間（500）内への冷気の進入が抑制され且つ室内空間（500）全体が暖まると、室内空間（500）内は低負荷となる。そこで、ここでは、暖房運転における気流モードの実行によって室内空間（500）内が低負荷となった場合、これ以上の気流モードの実行は不要のため、気流モードを終了する。つまり、気流モードは、必要な場合に限り実行される。
【００１３】
第３の発明は、第２の発明において、上記室内ケーシング（20）には、吸込み開口（23）が更に形成されており、上記吸込み開口（23）から上記室内ケーシング（20）内に吸い込まれる空気の吸込温度を検知する第２温度検知部（62）、を更に備え、上記暖房運転における上記気流モード時の上記指標が上記第２所定値よりも低い場合とは、上記暖房運転における上記気流モード時の設定温度と上記吸込温度との差が所定差よりも小さい場合であることを特徴とする空気調和装置である。
【００１４】
ここでは、室内空間（500）の負荷を表す指標は、上述のように簡単な方法によって判断される。
【００１５】
第４の発明は、第２の発明または第３の発明において、冷媒を圧縮する圧縮機（81）、を更に備え、上記制御部（72,86）は、上記モード終了制御では、上記第１温度検知部（61）の検知結果が第３所定値以下となるように上記圧縮機（81）の運転周波数を低下させ、上記第１温度検知部（61）の検知結果が上記第３所定値以下となった時、上記気流モードを終了することを特徴とする空気調和装置である。
【００１６】
気流モードを終了させるためのモード終了制御は、既に述べたように、暖房運転における気流モード時の室内空間（500）の負荷を表す指標が第２所定値より低いことをトリガとして実行される。このモード終了制御では、圧縮機（81）の運転周波数を直前の状態から低くすることで圧縮機（81）の能力を低下させていく。圧縮機（81）の能力が低下すると、室内熱交換器（32）の温度や空気の吹出し温度は低下する。そこで、制御部（72）は、気流モードを、第１温度検知部（61）の検知結果が第３所定値以下となると終了させる。
【００１７】
第５の発明は、第４の発明において、上記第３所定値は、上記第１所定値以下であることを特徴とする空気調和装置である。
【００１８】
ここでは、気流モードが終了する際の閾値である第３所定値は、気流モード移行時の閾値である第１所定値以下となっている。特に、室内熱交換器（32）の温度や空気の吹出し温度は、ある程度の範囲内にて上下するため、気流モード終了時の閾値である第３所定値は、第１所定値よりも低くすることが好ましい。これにより、制御部（72,86）は、第１温度検知部（61）の検知結果が上下する現象に影響されることなく、気流モードを終了させることができる。
【００１９】
第６の発明は、第１の発明において、上記制御部（72,86）は、上記暖房運転における上記気流モードでの運転積算時間が所定時間に達した場合、上記気流モードを終了させるモード終了制御を行うことを特徴とする空気調和装置である。
【００２０】
暖房運転における気流モードでの運転積算時間が所定時間に達したということは、気流モードが十分な時間実行されたことを意味する。気流モードが十分な時間実行されれば、室内空間（500）の壁付近からの冷気の進入も十分に抑制され、室内空間（500）はある程度暖まった状態となる。そこで、気流モードでの運転積算時間が所定時間に達した場合、制御部（72,86）は、モード終了制御を行う。これにより、不必要に気流モードが実行されずに済む。
【発明の効果】
【００２１】
本発明によれば、壁付近から室内空間（500）内への冷気の流れは、暖気により遮断されるため、壁付近から室内空間（500）への冷気の進入を確実に防ぐことができる。それ故、室内空間（500）の中央部と周辺部（壁付近）における気温の差は縮小される。更に、暖気は、室内空間（500）の壁を伝って流れるため、室内空間（500）全体が暖気で包まれる。
【００２２】
また、上記第２の発明によれば、気流モードは、必要な場合に限り実行される。
【００２３】
また、上記第３の発明によれば、室内空間（500）の負荷を表す指標は、簡単な方法によって判断される。
【００２４】
また、上記第４の発明によれば、空気調和装置（100）は、圧縮機（81）の運転周波数を低くすることで第１温度検知部（61）の検知結果を低くして、気流モードを終了することができる。
【００２５】
また、上記第５の発明によれば、制御部（72,86）は、第１温度検知部（61）の検知結果が上下する現象に影響されることなく、気流モードを終了させることができる。
【００２６】
また、上記第６の発明によれば、不必要に気流モードが実行されずに済む。
【図面の簡単な説明】
【００２７】
【図１】図１は、実施形態に係る室内制御部と当該室内制御部に接続された機器とを模式的に示すブロック図である。
【図２】図２は、室内ユニットを斜め下方から見た斜視図である。
【図３】図３は、ケーシング本体の天板を省略した室内ユニットの概略の平面図である。
【図４】図４は、図３のIII−Ｏ−III断面を示す室内ユニットの概略の断面図である。
【図５】図５は、室内ユニットの概略の下面図である。
【図６】図６は、水平吹き位置にある風向調節羽根を示す化粧パネルの要部の断面図である。
【図７】図７は、下吹き位置にある風向調節羽根を示す化粧パネルの要部の断面図である。
【図８】図８は、気流ブロック位置にある風向調節羽根を示す化粧パネルの要部の断面図である。
【図９】図９は、暖房運転時における通常モードと気流モードとの切り換えの条件を説明するための図である。
【図１０】図１０は、室内ユニットが行う気流ローテーションの１サイクルを示す説明図であって、各動作における室内ユニットの下面を模式的に示したものである。
【図１１】図１１は、室内ユニットが暖房運転時の気流ローテーションを行っている場合の室内の温度分布を示す室内空間の平面図である。
【図１２】図１２は、実施形態の変形例１に係る室内制御部と当該室内制御部に接続された機器とを模式的に示すブロック図である。
【発明を実施するための形態】
【００２８】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２９】
≪実施形態≫
−空気調和装置の構成−
図１に示すように、本実施形態の空気調和装置（100）は、室内ユニット（10）と、室外ユニット（80）と、リモートコントローラ（90）とを備える。
【００３０】
図示してはいないが、室内ユニット（10）と室外ユニット（80）とは、連絡配管で接続されており、これによって冷媒が循環して冷凍サイクルを行う冷媒回路が形成されている。更に、室内ユニット（10）と室外ユニット（80）とは、電気的な配線によっても互いに接続されており、室内ユニット（10）に含まれる室内制御部（70）及び室外ユニット（80）に含まれる室外制御部（85）は、互いに通信可能となっている。リモートコントローラ（90）は、室内制御部（70）と有線または無線によって通信可能に接続されている。
【００３１】
室内ユニット（10）は、図２に示すように天井埋め込み型に構成されており、室内空間（500）に空気を吹き出す。室内ユニット（10）の構成については後述する。
【００３２】
室外ユニット（80）は、屋外等である室内空間（500）の外に設置されている。図１に示すように、室外ユニット（80）は、冷媒を圧縮する圧縮機（81）と、圧縮機（81）を駆動させる圧縮機モータ（81a）と、室外制御部（85）とを有する。室外制御部（85）は、CPU及びROM等からなるマイクロコンピュータで構成されており、圧縮機（81）の運転周波数を制御する圧縮機制御部（86）として機能する。
【００３３】
リモートコントローラ（90）は、室内空間（500）の壁（502）等に取り付けられており、在室者の操作を受け付ける。即ち、在室者は、リモートコントローラ（90）を介して、空気調和装置（100）に関する各種設定や動作指示を行うことができる。リモートコントローラ（90）は、各種設定及び動作指示を受け付けると、これを室内制御部（70）に送信する。
【００３４】
特に、リモートコントローラ（90）は、後述する気流モードへの移行を許可する設定及び許可しない設定を、受け付けることが可能に構成されている。
【００３５】
−室内ユニットの構成−
図１〜図５に示すように、室内ユニット（10）は、ケーシング（20）（室内ケーシングに相当）と、室内ファン（31）と、室内熱交換器（32）と、ドレンパン（33）と、ベルマウス（36）と、風向調節羽根（51）と、熱交換温度センサ（61）（第１温度検知部に相当）と、吸込温度センサ（62）（第２温度検知部に相当）と、室内制御部（70）とを備えている。
【００３６】
〈ケーシング〉
ケーシング（20）は、室内空間（500）の天井（501）に設置されている。ケーシング（20）は、ケーシング本体（21）と化粧パネル（22）とによって構成されている。このケーシング（20）には、室内ファン（31）と、室内熱交換器（32）と、ドレンパン（33）と、ベルマウス（36）とが収容されている。
【００３７】
ケーシング本体（21）は、室内空間（500）の天井（501）に形成された開口に挿入されて配置されている。ケーシング本体（21）は、下面が開口する概ね直方体状の箱形に形成されている。このケーシング本体（21）は、概ね平板状の天板（21a）と、天板（21a）の周縁部から下方に延びる側板（21b）とを有している。
【００３８】
〈室内ファン〉
図４に示すように、室内ファン（31）は、下方から吸い込んだ空気を径方向の外側に向けて吹き出す遠心送風機である。室内ファン（31）は、ケーシング本体（21）の内部中央に配置されている。室内ファン（31）は、室内ファンモータ（31a）によって駆動される。室内ファンモータ（31a）は、天板（21a）の中央部に固定されている。
【００３９】
〈ベルマウス〉
ベルマウス（36）は、室内ファン（31）の下方に配置されている。このベルマウス（36）は、ケーシング（20）へ流入した空気を室内ファン（31）へ案内するための部材である。ベルマウス（36）は、ドレンパン（33）と共に、ケーシング（20）の内部空間を、室内ファン（31）の吸い込み側に位置する一次空間（21c）と、室内ファン（31）の吹き出し側に位置する二次空間（21d）とに仕切っている。
【００４０】
〈室内熱交換器〉
室内熱交換器（32）は、いわゆるクロスフィン型のフィン・アンド・チューブ熱交換器である。図３に示すように、室内熱交換器（32）は、平面視でロ字状に形成され、室内ファン（31）の周囲を囲むように配置されている。つまり、室内熱交換器（32）は、二次空間（21d）に配置されている。室内熱交換器（32）は、その内側から外側へ向かって通過する空気を、冷媒回路の冷媒と熱交換させる。
【００４１】
〈ドレンパン〉
ドレンパン（33）は、いわゆる発泡スチロール製の部材である。図４に示すように、ドレンパン（33）は、ケーシング本体（21）の下端を塞ぐように配置されている。ドレンパン（33）の上面には、室内熱交換器（32）の下端に沿った水受溝（33b）が形成されている。水受溝（33b）には、室内熱交換器（32）の下端部が入り込んでいる。水受溝（33b）は、室内熱交換器（32）において生成したドレン水を受け止める。
【００４２】
図３に示すように、ドレンパン（33）には、主吹出し通路（34a〜34d）と副吹出し通路（35a〜35d）とが四つずつ形成されている。主吹出し通路（34a〜34d）及び副吹出し通路（35a〜35d）は、室内熱交換器（32）を通過した空気が流れる通路であって、ドレンパン（33）を上下方向に貫通している。主吹出し通路（34a〜34d）は、断面が細長い長方形状の貫通孔である。主吹出し通路（34a〜34d）は、ケーシング本体（21）の四つの辺のそれぞれに沿って一つずつ配置されている。副吹出し通路（35a〜35d）は、断面がやや湾曲した矩形状の貫通孔である。副吹出し通路（35a〜35d）は、ケーシング本体（21）の四つの角部のそれぞれに一つずつ配置されている。つまり、ドレンパン（33）では、その周縁に沿って、主吹出し通路（34a〜34d）と副吹出し通路（35a〜35d）とが交互に配置されている。
【００４３】
〈化粧パネル〉
化粧パネル（22）は、四角い厚板状に形成された樹脂製の部材である。化粧パネル（22）の下部は、ケーシング本体（21）の天板（21a）よりも一回り大きな正方形状に形成されている。この化粧パネル（22）は、ケーシング本体（21）の下面を覆うように配置されている。また、化粧パネル（22）の下面は、ケーシング（20）の下面を構成し、室内空間（500）に露出している。
【００４４】
図４及び図５に示すように、化粧パネル（22）の中央部には、正方形状の一つの吸込口（23）（吸込み開口に相当）が形成されている。吸込口（23）は、化粧パネル（22）を上下に貫通し、ケーシング（20）内部の一次空間（21c）に連通する。ケーシング（20）へ吸い込まれる空気は、吸込口（23）を通って一次空間（21c）へ流入する。吸込口（23）には、格子状の吸込グリル（41）が設けられている。また、吸込グリル（41）の上方には、吸込フィルタ（42）が配置されている。
【００４５】
化粧パネル（22）には、概ね四角い輪状の吹出口（26）が、吸込口（23）を囲むように形成されている。図５に示すように、吹出口（26）は、四つの主吹出し開口（24a〜24d）（吹出し用開口に相当）と、四つの副吹出し開口（25a〜25d）とに区分されている。
【００４６】
主吹出し開口（24a〜24d）は、主吹出し通路（34a〜34d）の断面形状に対応した細長い開口である。主吹出し開口（24a〜24d）は、化粧パネル（22）の四つの辺のそれぞれに沿って一つずつ配置されている。
【００４７】
化粧パネル（22）の主吹出し開口（24a〜24d）は、ドレンパン（33）の主吹出し通路（34a〜34d）と一対一に対応している。各主吹出し開口（24a〜24d）は、対応する主吹出し通路（34a〜34d）と連通する。つまり、第１主吹出し開口（24a）は第１主吹出し通路（34a）と、第２主吹出し開口（24b）は第２主吹出し通路（34b）と、第３主吹出し開口（24c）は第３主吹出し通路（34c）と、第４主吹出し開口（24d）は第４主吹出し通路（34d）と、それぞれ連通する。
【００４８】
副吹出し開口（25a〜25d）は、１／４円弧状の開口である。副吹出し開口（25a〜25d）は、化粧パネル（22）の四つの角部のそれぞれに一つずつ配置されている。化粧パネル（22）の副吹出し開口（25a〜25d）は、ドレンパン（33）の副吹出し通路（35a〜35d）と一対一に対応している。各副吹出し開口（25a〜25d）は、対応する副吹出し通路（35a〜35d）と連通する。つまり、第１副吹出し開口（25a）は第１副吹出し通路（35a）と、第２副吹出し開口（25b）は第２副吹出し通路（35b）と、第３副吹出し開口（25c）は第３副吹出し通路（35c）と、第４副吹出し開口（25d）は第４副吹出し通路（35d）と、それぞれ連通する。
【００４９】
〈風向調節羽根〉
図５に示すように各主吹出し開口（24a〜24d）には、風向調節羽根（51）が設けられている。風向調節羽根（51）は、吹出し気流の方向（即ち、主吹出し開口（24a〜24d）から吹き出される空気の風向）を調節するための部材である。
【００５０】
風向調節羽根（51）は、吹出し気流の方向を上下方向に変更する。つまり、風向調節羽根（51）は、吹出し気流の方向と水平方向のなす角度が変化するように、吹出し気流の方向を変化させる。
【００５１】
風向調節羽根（51）は、化粧パネル（22）の主吹出し開口（24a〜24d）の長手方向の一端から他端に亘って延びる細長い板状に形成されている。図４に示すように、風向調節羽根（51）は、その長手方向に延びる中心軸（53）まわりに回動自在となるように、支持部材（52）に支持されている。風向調節羽根（51）は、その横断面（長手方向と直交する断面）の形状が揺動運動の中心軸（53）から遠ざかる方向に凸となるように湾曲している。
【００５２】
図５に示すように、各風向調節羽根（51）には、駆動モータ（54）が連結されている。風向調節羽根（51）は、駆動モータ（54）によって駆動され、中心軸（53）まわりに所定の角度範囲で回転移動する。また、詳しくは後述するが、風向調節羽根（51）は、主吹出し開口（24a〜24d）を通過する空気の流れを妨げる気流ブロック位置に変位可能となっており、主吹出し開口（24a〜24d）の吹出し気流を阻害する気流阻害機構（50）を兼ねている。
【００５３】
〈熱交換温度センサ〉
図４に示すように、熱交換温度センサ（61）は、室内熱交換器（32）の表面付近に設けられている。熱交換温度センサ（61）は、室内熱交換器（32）の温度をセンシングする。
【００５４】
〈吸込温度センサ〉
図４に示すように、吸込温度センサ（62）は、吸込口（23）付近に設けられている。吸込温度センサ（62）は、吸込口（23）からケーシング本体（21）内に吸い込まれる空気の吸込温度をセンシングする。
【００５５】
〈室内制御部〉
室内制御部（70）は、メモリ及びＣＰＵによって構成されており、室内ユニット（10）の動作を制御する。図１に示すように、室内制御部（70）は、熱交換温度センサ（61）と、吸込温度センサ（62）と、各風向調節羽根（51）の駆動モータ（54）と、室内ファン（31）の室内ファンモータ（31a）と接続されている。更に、室内制御部（70）は、リモートコントローラ（90）及び室外ユニット（80）の室外制御部（85）とも、通信可能に接続されている。
【００５６】
室内制御部（70）は、メモリに格納されている各種プログラムをＣＰＵが読み出して実行することにより、負荷指標算出部（71）及びモータ制御部（72）（制御部に相当）として機能する。モータ制御部（72）には、各駆動モータ（54）を制御して各主吹出し開口（24a〜24d）から吹き出される空気の風向を制御する風向制御部（73）と、室内ファンモータ（31a）を制御する回転数制御部（74）とが含まれる。
【００５７】
負荷指標算出部（71）は、吸込温度センサ（62）の検知結果である空気の吸込温度を用いて、室内空間（500）の負荷を表す指標を算出する。特に、負荷指標算出部（71）による指標の算出動作は、暖房運転において後述する気流モードが実行されている時に行われる。具体的に、負荷指標算出部（71）は、暖房運転における気流モード実行時の室内空間（500）の設定温度と吸込温度センサ（62）の検知結果（吸込温度）との差により、室内空間（500）の負荷を表す指標を算出する。当該差が大きい程、暖房運転における気流モード実行時の室内空間（500）の負荷は大きく、当該差が小さい程、暖房運転における気流モード実行時の室内空間（500）の負荷は小さいことに相当する。そこで、本実施形態では、当該差が所定差よりも大きい場合、負荷指標算出部（71）が算出した上記指標は、第２所定値よりも高い状態となっていることに相当する。当該差が所定差よりも小さい場合、負荷指標算出部（71）が算出した上記指標は、第２所定値よりも低い状態となっていることに相当する。負荷指標算出部（71）の算出結果が第２所定値よりも高いか否かは、気流モードを終了させるか否かの制御に利用される。
【００５８】
なお、第２所定値は、室内空間の広さ等に応じて、予め適切な値に設定されることが望ましい。
【００５９】
なお、本実施形態に言う暖房運転には、圧縮機（81）及び室内ファン（31）の運転により、暖められた空気が室内空間（500）に供給される場合の他、室内ファン（31）は運転を継続しているものの圧縮機（81）が一時的に停止する場合（即ちサーキュレーション運転）も含むものとする。但し、後述する気流モードは、圧縮機（81）が停止せず運転している場合に行われるものとする。
【００６０】
風向制御部（73）は、各駆動モータ（54）を作動させることによって各風向調節羽根（51）の位置を個別に制御する。風向制御部（73）の制御の詳細については、“−風向制御部の制御動作−”にて述べる。
【００６１】
回転数制御部（74）は、室内ファンモータ（31a）の制御により、室内ファン（31）の回転速度を制御する。
【００６２】
−室内ユニット内における空気の流れ−
室内ユニット（10）の運転中には、室内ファン（31）が回転する。室内ファン（31）が回転すると、室内空間（500）の室内空気が、吸込口（23）を通ってケーシング（20）内の一次空間（21c）へ流入する。一次空間（21c）へ流入した空気は、室内ファン（31）に吸い込まれ、二次空間（21d）へ吹き出される。
【００６３】
二次空間（21d）へ流入した空気は、室内熱交換器（32）を通過する間に冷却され又は加熱され、その後に四つの主吹出し通路（34a〜34d）と四つの副吹出し通路（35a〜35d）へ分かれて流入する。主吹出し通路（34a〜34d）へ流入した空気は、主吹出し開口（24a〜24d）を通って室内空間（500）へ吹き出される。副吹出し通路（35a〜35d）へ流入した空気は、副吹出し開口（25a〜25d）を通って室内空間（500）へ吹き出される。
【００６４】
即ち、室内空間（500）の空気が吸込口（23）からケーシング本体（21）内に流入し、その後吹出口（26）を介して再び室内空間（500）へと吹き出される空気の流れは、室内ファン（31）によって生成される。
【００６５】
冷房運転中の室内ユニット（10）では、室内熱交換器（32）が蒸発器として機能し、室内空間（500）に吹き出される前の空気は、室内熱交換器（32）を通過する間に冷媒によって冷却される。暖房運転中の室内ユニット（10）では、室内熱交換器（32）が凝縮器として機能し、室内空間（500）に吹き出される前の空気は、室内熱交換器（32）を通過する間に冷媒によって加熱される。
【００６６】
−風向調節羽根の動作−
上述したように、風向調節羽根（51）は、中心軸（53）まわりに回転移動することによって、吹出し気流の方向を変更する。風向調節羽根（51）は、図６に示す水平吹き位置と、図７に示す下吹き位置との間を移動可能となっている。また、風向調節羽根（51）は、図７に示す下吹き位置から更に回転移動することによって、図８に示す気流ブロック位置にも移動可能となっている。
【００６７】
風向調節羽根（51）の位置が図６に示す水平吹き位置になっている場合は、主吹出し通路（34a〜34d）を下向きに流れてきた空気の流れの方向が横方向に変更され、主吹出し開口（24a〜24d）の吹出し気流が水平吹き状態となる。この場合、主吹出し開口（24a〜24d）の吹出し気流の方向（即ち、主吹出し開口（24a〜24d）から吹き出される空気の風向）は、水平方向に対して例えば２５°程度に設定される。この場合、厳密に言えば吹出し気流の方向は水平方向よりも僅かに下向きとなるが、気流の方向は実質的に水平方向であると言って差し支えない。このように、吹出し気流が水平吹き状態となることで、主吹出し開口（24a〜24d）から吹き出される空気は、室内空間（500）の壁（502）に到達可能となる。
【００６８】
なお、上記水平吹き状態は、水平方向に対し下方に約２５°に限定されることはなく、水平方向に対し上方に約２５°、即ち水平方向よりも僅かに上向きとなる状態が含まれても良い。
【００６９】
風向調節羽根（51）の位置が図７に示す下吹き位置になっている場合は、主吹出し通路（34a〜34d）を下向きに流れてきた空気の流れの方向が概ねそのまま維持され、主吹出し開口（24a〜24d）の吹出し気流が下吹き状態となる。この場合、吹出し気流の方向は、厳密に言えば、真下よりも吸込口（23）から離れる方向に若干傾いた斜め下方向となる。
【００７０】
風向調節羽根（51）の位置が図８に示す気流ブロック位置になっている場合は、主吹出し開口（24a〜24d）の大半が風向調節羽根（51）によって塞がれた状態になると共に、主吹出し通路（34a〜34d）を下向きに流れてきた空気の流れの方向が吸込口（23）側に変更される。この場合、主吹出し開口（24a〜24d）を通過する際の空気の圧力損失が大きくなるため、全ての主吹出し開口（24a〜24d）を通過する空気の流量（風量）の合計値は少なくなる。しかし、全ての風向調節羽根（51）が図６または図７の位置である状態から、一部の風向調節羽根（51）の位置が気流ブロック位置に変更された場合、図６または図７の位置である残りの風向調節羽根（51）に対応した主吹出し開口（24a〜24d）それぞれを通過する空気の流量（風量）は、変更前に比して増加する。即ち、全ての風向調節羽根（51）のうちの一部が、図６または図７の位置である状態から気流ブロック位置（図８）へと変更された場合、空気調和装置（100）全体の吹出し風量は減少するが、変更前後において図６または図７の状態である主吹出し開口（24a〜24d）単位で見ると、風量は、変更前よりも変更後の方が増加することとなる。
【００７１】
また、気流ブロック位置では、空気は、主吹出し開口（24a〜24d）から吸込口（23）側へ向かって吹き出される。このため、主吹出し開口（24a〜24d）から吹き出された空気は、すぐに吸込口（23）へ吸い込まれることとなる。つまり、風向調節羽根（51）が気流ブロック位置となっている主吹出し開口（24a〜24d）からは、空気が室内空間（500）へ実質的に供給されない。
【００７２】
−風向制御部の制御動作−
〈暖房運転時の基本的な気流について〉
先ず、本実施形態に係るモータ制御部（72）の制御動作の本質について、図９を参照しつつ説明する。
【００７３】
−通常モード及び気流モードについて−
本実施形態に係る暖房運転においては、図９に示すように、通常モードと気流モードとの２つのモードが存在する。特にことわりのない限り、暖房運転は、通常モードにて実行される。
【００７４】
暖房運転における通常モードでは、図９の「通常モード」内にて示されるように、モータ制御部（72）は、主吹出し開口（24a〜24d）から吹き出される空気の風向及び風量を共に自動と設定して、各風向調節羽根（51）及び室内ファン（31）の制御を行う。
【００７５】
なお、通常モードにおいて風向が自動の場合、風向調節羽根（51）の位置は基本的には図７の下向き位置となる。通常モードにおいて風量が自動の場合、室内ファン（31）は、室内ファン（31）の最大回転数に比べて十分に低い回転数で回転する。
【００７６】
図９の「通常モード」から「気流モード」に向かって延びる矢印の上部に示すように、暖房運転における通常モード実行中において熱交換温度センサ（61）の検知結果（即ち、室内熱交換器（32）の温度）が第１所定値よりも高くなると、モータ制御部（72）の風向制御部（73）は、暖房運転におけるモードを、主吹出し開口（24a〜24d）から吹き出される空気を少なくとも水平に吹かせる気流モードへと切り換えて、風向調節羽根（51）を制御する。また、暖房運転におけるモードが通常モードから気流モードに切り換えられる際、気流モードでの運転積算時間（後述）は、所定時間未満である条件も満たすこととする。
【００７７】
なお、第１所定値は、予め例えば３５度程度に設定されることが望ましい。
【００７８】
一般的に、暖房運転は、冬季のように外気温度が比較的低い場合に行われ、暖房運転中には、室内空間（500）の壁付近から冷気が室内空間（500）内部へと進入してくる場合がある。冷気の室内空間（500）内部への進入を許せば、暖房運転の効果は薄らいでしまう。これに対し、本実施形態では、暖房運転における通常モード時に熱交換温度センサ（61）の検知結果が第１所定値よりも高くなった場合、上述した気流モードにて暖房運転が行われる。暖房運転における通常モード時に熱交換温度センサ（61）の検知結果が第１所定値よりも高くなったということは、室内熱交換器（32）では、ある程度高い温度まで空気が暖められていることに相当する。それ故、通常モードから気流モードに切り換えて、主吹出し開口（24a〜24d）から吹き出される確実に暖かい空気を、少なくとも水平方向に供給する動作が行われる。この空気は、室内空間（500）の壁（502）に到達し、壁（502）に沿って下方へと流れる。これにより、室内空間（500）の壁（502）は暖かい空気によって暖められ、室内空間（500）の壁（502）の温度は上昇する。壁（502）に到達した空気は、壁（502）から室内空間（500）に進入してくる冷気の流れを遮断する。従って、室内空間（500）の中央部と周辺部（壁付近）における気温の差は縮小され、室内空間（500）は、やがて暖かい空気によって包み込まれる。
【００７９】
更に、本実施形態の気流モードでは、図９の「気流モード」内にて示されるように、主吹出し開口（24a〜24d）から吹き出される空気量（風量）を、暖房運転時における熱交換温度センサ（61）の検知結果が第１所定値よりも低い場合（通常モードの場合）よりも増大させる制御も行われる。
【００８０】
風量を増大させる方法としては、以下の（Ｉ）〜（ＩＩＩ）が挙げられる。
（Ｉ）風向制御部（73）は、４つの風向調節羽根（51）のうち任意の風向調節羽根（51）を、図８で示した気流ブロック位置にする。
（ＩＩ）回転数制御部（74）は、室内ファン（31）の回転数を通常モード時よりも高くする制御を行う。
（ＩＩＩ）風向制御部（73）は、任意の風向調節羽根（51）を図８の気流ブロック位置にさせ、且つ、回転数制御部（74）は、室内ファン（31）の回転数を通常モード時よりも高くする制御を行う。
【００８１】
上記（Ｉ）の方法では、気流モード時、例えば１つの主吹出し開口（24a）の風向調節羽根（51）を気流ブロック位置とし、残りの主吹出し開口（24b〜24d）の風向調節羽根（51）を水平吹き状態（水平吹き位置）に設定する。つまり、（Ｉ）の方法では、気流モード時の主吹出し開口（24a〜24d）の開口総面積が、通常モード時よりも小さくなると言える。この場合、主吹出し開口（24a）から室内空間（500）へは、空気の吹き出しが実質的になされない。しかし、残りの主吹出し開口（24b〜24d）から室内空間（500）には、個々の主吹出し開口（24b〜24d）に着目すると、通常モード時よりも風量の増大した空気が、少なくとも概ね水平方向に吹き出されることになる。
【００８２】
上記（ＩＩ）の方法では、室内ファン（31）の回転数が高められる。そのため、水平吹き位置に設定されている主吹出し開口（24a〜24d）からは、風量が高められた空気が概ね水平方向に吹き出されることは、言うまでもない。
【００８３】
上記（ＩＩＩ）の方法は、（Ｉ）の方法及び（ＩＩ）の方法が共に採用された場合を表している。この場合、水平吹き位置を採る風向調節羽根（51）が設けられた主吹出し開口（24a〜24d）からは、上記（Ｉ）及び（ＩＩ）よりも風量が高められた空気が、水平方向に吹き出される。
【００８４】
上記（Ｉ）〜（ＩＩＩ）のいずれかの方法によって風量が高められることにより、風速も当然高められ、比較的暖かい空気は、室内空間（500）の壁付近に確実に到達する。従って、室内空間（500）の壁（502）は、通常モードに比してより確実に暖められ、壁（502）から室内空間（500）に進入してくる冷気の流れは、より確実に遮断される。
【００８５】
−気流モードの終了条件について−
次に、上述した気流モードの終了条件について、同じく図９を参照しつつ説明する。
【００８６】
図９の「気流モード」から「通常モード」に向かって延びる矢印の下部に示すように、室内制御部（70）のモータ制御部（72）及び室外制御部（85）の圧縮機制御部（86）は、暖房運転における気流モードにおいて以下の条件（Ａ）〜（Ｃ）のいずれかが成立した場合、気流モードを終了させるモード終了制御を行う。
（Ａ）暖房運転における気流モード時の負荷指標算出部（71）の算出結果（室内空間（500）の負荷を表す指標）が、第２所定値よりも低くなった場合
（Ｂ）暖房運転における気流モード時での運転積算時間が、所定時間に達した場合
（Ｃ）運転種類が、暖房運転から暖房運転以外の運転に切り換えられた場合
上記（Ａ）では、暖房運転における気流モードの実行によって室内空間（500）がある程度暖まってくると、吸込温度、つまりは室内空間（500）内の温度が設定温度に近付いていく。吸込温度と設定温度との差が所定差よりも小さくなることで、室内空間（500）の負荷を表す指標は、第２所定値よりも低くなる。この場合、モータ制御部（72）及び圧縮機制御部（86）は、室内空間（500）が十分に暖まっておりこれ以上気流モードを実行する必要はないと判断し、モード終了制御を行う。
【００８７】
モード終了制御では、モータ制御部（72）は、熱交換温度センサ（61）が常時検知している室内熱交換器（32）の温度をモニターし続ける。モード終了制御では、先ず、圧縮機制御部（86）は、熱交換温度センサ（61）の検知結果である室内熱交換器（32）の温度が第３所定値以下となるように、圧縮機（81）の運転周波数を、モード終了制御の開始直前よりも低下させる。圧縮機（81）の運転周波数が低下すると圧縮機（81）の能力自体が低下するため、これに伴って、室内熱交換器（32）の温度も下がっていく。室内熱交換器（32）の温度がやがて第３所定値以下となると、モータ制御部（72）の風向制御部（73）は、各風向調節羽根（51）の風向を自動に切り換え、モータ制御部（72）の回転数制御部（74）は、風量を自動に切り換える。即ち、モード終了制御を経て室内熱交換器（32）の温度が第３所定値以下となると、暖房運転におけるモードは、通常モードに切り換えられる。通常モード切り換え後の風向は、基本的には図７の下向き位置となり、通常モード切り換え後の風量は、気流モード時よりも小さくなる。
【００８８】
ここで、モード終了制御にて用いられる上記第３所定値は、通常モードから気流モードへの切換に用いられる第１所定値以下に設定される。特に、第３所定値は、第１所定値よりも低く設定されることが好ましい。一例としては、第１所定値及び第３所定値をいずれも約３５℃付近にて設定するとした場合、第１所定値を約３６℃、第３所定値を約３４℃と設定することができる。第１所定値及び第３所定値は、いずれも室内熱交換器（32）の温度の閾値であるが、実際の室内熱交換器（32）の温度は、厳密に一定の温度を保っているわけではなく、所定の幅の間でふらついている。すると、第１所定値及び第３所定値の値によっては、室内熱交換器（32）の温度が短時間の間に第１所定値及び第３所定値を上回ったり下回ったりし、その結果、モードが頻繁に切り替わるハンチングが生じる虞がある。それ故、本実施形態では、第１所定値を、第３所定値よりも例えば２℃ほど高く設定することで、モードの切り換え動作のハンチングを防止している。
【００８９】
上記（Ｂ）では、モータ制御部（72）は、気流モードの実行時間を積算していく。図９の「通常モード」から「気流モード」に向かって延びる矢印の上部に示すように、通常モード時、気流モードでの運転積算時間が所定時間に達していなければ、通常モードから気流モードに再び切り換えることが可能となる。そこで、気流モードが一旦終了したがその後再開されたような場合であれば、モータ制御部（72）は、一旦終了する前までの気流モードの運転積算時間に、再開後の気流モードでの運転時間を加算することで、気流モードでの運転積算時間を更新する。上記（Ｂ）のように、気流モード実行中に気流モードでの運転積算時間が所定時間に達した場合、モータ制御部（72）及び圧縮機制御部（86）は、室内空間（500）内は気流モードによって十分に暖められたためこれ以上気流モードを実行する必要はないと判断し、モード終了制御を行う。
【００９０】
上記（Ｂ）でのモード終了制御の詳細は、上記（Ａ）にて説明したモード終了制御と同様である。
【００９１】
なお、運転積算時間は、例えばリモートコントローラ（90）を介して設定が変更された場合にリセットされると良い。この場合の設定には、暖房運転から冷房運転への運転種類の切り換え、気流モードを強制的にオフにする設定等が該当する。
【００９２】
上記（Ｃ）では、空気調和装置（100）の運転種類が暖房運転から暖房運転以外の運転に切り換えられた場合を表しているが、暖房運転以外の運転としては、例えばデフロスト運転及び冷房運転が挙げられる。本実施形態に係る気流モードは、暖房運転におけるモードであるため、空気調和装置（100）の運転種類が暖房運転以外に切り換えられると、気流モードを実行する意味がなくなってしまう。それ故、上記（Ｃ）が満たされた場合、モード終了制御が行われるのである。
【００９３】
上記（Ｃ）でのモード終了制御の詳細は、上記（Ａ）にて説明したモード終了制御と同様である。
【００９４】
なお、モード終了制御が実行される条件は、上記（Ａ）〜（Ｃ）以外に存在していてもよい。他の条件としては、圧縮機（81）が運転を一時的に停止するような場合（いわゆるサーモオフ状態）等が挙げられる。
【００９５】
〈暖房運転時の気流の応用例：気流ローテーションについて〉
次に、上述した気流モードの応用例である気流ローテーションについて述べる。気流ローテーションは、暖房運転における通常モード時の熱交換温度センサ（61）の検知結果が第１所定値よりも高く且つ気流モードでの運転積算時間が所定時間未満である場合に、気流モードとして行われる。
【００９６】
応用例では、室内ユニット（10）が後述する通常吹出し動作、第１吹出し動作、及び第２吹出し動作を実行できるように、風向制御部（73）は、風向調節羽根（51）の位置を制御する。更に、風向制御部（73）は、室内ユニット（10）が図１０に示す気流ローテーションを行うように、各主吹出し開口（24a〜24d）に設けられた風向調節羽根（51）の位置を変更する制御を行う。図１０では、気流ローテーションの一つのサイクルにおいて、一回目の通常吹出し動作、第１吹出し動作、二回目の通常吹出し動作、第２吹出し動作が順に行われる。つまり、気流ローテーションの一つのサイクルでは、二回の通常吹出し動作と、一回の第１吹出し動作と、一回の第２吹出し動作とが行われる。
【００９７】
なお、気流ローテーション中、室内ファン（31）の回転速度は実質的に一定に保たれているとする。また、気流ローテーション中、風量を高める方法として、上記（Ｉ）が採用された場合を例に取る。
【００９８】
なお、以下では、説明の便宜上、図２、図５及び図１０に示すように、化粧パネル（22）の互いに対向する二つの辺に沿った第２主吹出し開口（24b）及び第４主吹出し開口（24d）を「第１開口（24X）」、残りの第１主吹出し開口（24a）及び第３主吹出し開口（24c）を「第２開口（24Y）」と言う。
【００９９】
暖房運転時の通常吹出し動作において、風向制御部（73）は、全ての主吹出し開口（24a〜24d）の風向調節羽根（51）を、下吹き位置に設定する。このため、暖房運転時の通常吹出し動作では、四つの主吹出し開口（24a〜24d）から空気が下向きに吹き出される。
【０１００】
暖房運転時の第１吹出し動作において、風向制御部（73）は、第１開口（24X）を構成する二つの主吹出し開口（24b,24d）の風向調節羽根（51）を水平吹き位置に設定し、第２開口（24Y）を構成する二つの主吹出し開口（24a,24c）の風向調節羽根（51）を気流ブロック位置に設定する。このため、空気は、第２主吹出し開口（24b）及び第４主吹出し開口（24d）から室内空間（500）へ吹き出され、第１主吹出し開口（24a）及び第３主吹出し開口（24c）からは室内空間（500）へ実質的に吹き出されない。また、第２主吹出し開口（24b）及び第４主吹出し開口（24d）の吹出し風量及び風速は、通常吹出し動作における吹出し風量及び風速よりも高くなる。つまり、第１吹出し動作では、第２主吹出し開口（24b）及び第４主吹出し開口（24d）から、空気が、通常吹出し動作中よりも増大された風量及び高い流速で、実質的に水平方向へ向かって吹き出される。
【０１０１】
暖房運転時の第２吹出し動作において、風向制御部（73）は、第２開口（24Y）を構成する二つの主吹出し開口（24a,24c）の風向調節羽根（51）を水平吹き位置に設定し、第１開口（24X）を構成する二つの主吹出し開口（24b,24d）の風向調節羽根（51）を気流ブロック位置に設定する。このため、空気は、第１主吹出し開口（24a）及び第３主吹出し開口（24c）から室内空間（500）へ吹き出され、第２主吹出し開口（24b）及び第４主吹出し開口（24d）からは室内空間（500）へ実質的に吹き出されない。また、第１主吹出し開口（24a）及び第３主吹出し開口（24c）の吹出し風量及び風速は、通常吹出し動作における吹出し風量及び風速よりも高くなる。つまり、第２吹出し動作では、二つの第１主吹出し開口（24a）及び第３主吹出し開口（24c）から、調和空気が、通常吹出し動作中よりも増大された風量及び高い流速で、実質的に水平方向へ向かって吹き出される。
【０１０２】
なお、通常吹出し動作、第１吹出し動作、及び第２吹出し動作の何れにおいても、副吹出し開口（25a〜25d）からは空気が吹き出される。
【０１０３】
また、図１０に示す暖房運転時の気流ローテーションの一つのサイクルでは、一回目の通常吹出し動作の継続時間、第１吹出し動作の継続時間、二回目の通常吹出し動作の継続時間、及び第２吹出し動作の継続時間のそれぞれが、互いに同じ時間（例えば、１２０秒）に設定される。
【０１０４】
〈暖房運転時の室内空間の温度分布〉
暖房運転時の室内空間（500）の温度分布について、図１１を参照しながら説明する。
【０１０５】
図１１は、室内ユニット（10）の暖房運転中における室内空間（500）の温度分布のシミュレーション結果を示している。図１１は、室内ユニット（10）が暖房運転を開始してから２０分後の、室内空間（500）の床面から６０ｃｍの位置における気温を示している。また、図１１では、ハッチングの密度が高い領域ほど気温が高い。
【０１０６】
なお、シミュレーションの対象となる部屋は、床面が概ね正方形状であり、中央にパーティション（510）が設けられた細長い二つのデスク（511）が平行に配置されている。また、室内ユニット（10）は、室内空間（500）の天井の概ね中央に配置されている。
【０１０７】
まず、室内空間（500）に従来の室内ユニット（610）が設置されている場合の、室内空間（500）の温度分布について、図１１の(ａ)を参照しながら説明する。
【０１０８】
暖房運転時において、従来の室内ユニット（610）では、上述した通常モードと同様、全ての主吹出し開口（24a〜24d）の風向調節羽根（51）が例えば下吹き位置に設定される。そして、従来の室内ユニット（610）は、室内熱交換器（32）を通過する際に加熱された空気を、全ての主吹出し開口（24a〜24d）から実質的に床面に向かって吹き出す。
【０１０９】
図１１の(ａ)に示すように、室内空間（500）では、室内ユニット（610）の下方に位置する中央部の領域において、気温が非常に高くなっている。これは、室内ユニット（610）から下向きに吹き出された暖かい調和空気が、二つのパーティション（510）に挟まれた室内空間（500）の中央部の領域に滞留するからだと推定される。
【０１１０】
一方、室内空間（500）では、室内ユニット（610）から離れた周辺部の領域において、気温が充分に上昇していない。これは、室内ユニット（610）から下向きに吹き出された暖かい調和空気が、パーティション（510）よりも壁（502）側の領域に到達できないからだと推定される。
【０１１１】
次に、室内空間（500）に本実施形態の室内ユニット（10）が設置されており、上述した応用例である気流ローテーションが気流モードとして行われる場合の室内空間（500）の温度分布について、図１１の(ｂ)を参照しながら説明する。
【０１１２】
通常吹出し動作では、室内ユニット（10）から下向きに吹き出された暖かい調和空気が、二つのパーティション（510）に挟まれた室内空間（500）の中央部の領域に供給される。このため、室内空間（500）では、室内ユニット（10）の下方に位置する中央部の領域において、気温が上昇する。ただし、通常吹出し動作が間欠的に行われるため、室内空間（500）の中央部の領域における気温が過度に上昇することは無い。
【０１１３】
一方、第１吹出し動作および第２吹出し動作では、室内ユニット（10）から吹き出された暖かい調和空気が、概ね水平方向へ、通常吹出し動作中よりも増大された風量及び高い流速で吹き出される。従って、第１吹出し動作および第２吹出し動作では、室内ユニット（10）から吹き出された暖かい調和空気が、パーティション（510）の上方を流れて室内空間（500）の壁（502）にまで到達する。このため、室内空間（500）では、室内ユニット（10）から離れた周辺部の領域においても、気温が上昇する。
【０１１４】
また、第１吹出し動作および第２吹出し動作では、室内ユニット（10）から吹き出された暖かい調和空気が、室内空間（500）の壁（502）にまで到達し、壁（502）に沿って下方へと流れる。このため、室内空間（500）の壁（502）が調和空気によって暖められ、その結果、室内空間（500）の壁（502）の温度が上昇する。従って、室内空間（500）の周辺部の領域では、壁（502）が調和空気によって暖められることによっても、気温の低下が抑えられる。
【０１１５】
このように、暖房運転時における上記気流ローテーションでは、従来の室内ユニット（610）が暖房運転を行う場合に比べて、室内空間（500）の中央部と周辺部における気温の差が大幅に縮小する。
【０１１６】
〈冷房運転時の気流について〉
冷房運転では、風向制御部（73）は、例えば全ての主吹出し開口（24a〜24d）の風向調節羽根（51）を、水平吹き位置と下吹き位置との間で往復移動させる。これにより、主吹出し開口（24a〜24d）から吹き出される比較的冷たい空気の気流は、各風向調節羽根（51）の動作に応じて変動する。
【０１１７】
−本実施形態の効果−
本実施形態の空気調和装置（100）は、暖房運転時、室内熱交換器（32）の温度が第１所定値よりも高い場合、気流モードに移行して運転を行う。気流モードでは、吹出し開口（24a〜24d）からは、暖められた空気（暖気）が、少なくとも水平方向に吹き出される。これにより、暖気は、室内空間（500）の壁付近に到達することができ、壁付近から室内空間（500）内への冷気の流れは、暖気により遮断される。従って、壁付近から室内空間（500）への冷気の進入は防がれ、室内空間（500）の中央部と周辺部（壁付近）における気温の差は縮小される。更に、暖気は、室内空間（500）の壁を伝って流れるため、室内空間（500）全体が暖気で包まれる。
【０１１８】
また、本実施形態では、暖房運転における気流モード時、更に、吹出し開口（24a〜24d）から吹き出される空気の風量が、暖房運転時における室内熱交換器（32）の温度が第１所定値よりも低い場合（通常モードの場合）に比して増大される。これにより、気流モード時、暖気は、室内空間（500）の壁付近により到達し易くなる。従って、壁付近から室内空間（500）への冷気の進入を、より確実に防ぐことができる。
【０１１９】
また、実施形態では、暖房運転における気流モード時の室内空間（500）の負荷を表す指標が第２所定値よりも低い場合、該気流モードを終了させるモード終了制御が行われる。気流モードの実行によって、室内空間（500）の壁付近から室内空間（500）内への冷気の進入が抑制され且つ室内空間（500）全体が暖まると、室内空間（500）内は低負荷となる。そこで、本実施形態では、暖房運転における気流モードの実行によって室内空間（500）内が低負荷となった場合、これ以上の気流モードの実行は不要のため、気流モードが終了される。つまり、気流モードは、必要な場合に限り実行されると言える。
【０１２０】
また、本実施形態では、上記指標は、暖房運転における気流モード時の設定温度と吸込温度との差によって判断される。このように、室内空間（500）の負荷を表す指標は、簡単な方法によって判断されると言える。
【０１２１】
また、本実施形態に係るモード終了制御では、圧縮機制御部（86）は、熱交換温度センサ（61）の検知結果が第３所定値以下となるように圧縮機（81）の運転周波数を直前の状態から低下させる制御が行われる。圧縮機（81）の運転周波数が低くなることで圧縮機（81）の能力が低下し、室内熱交換器（32）の温度や空気の吹出し温度は低下する。熱交換温度センサ（61）の検知結果が第３所定値以下となると、気流モードは終了される。
【０１２２】
特に、気流モードが終了する際の閾値である第３所定値は、気流モード移行時の閾値である第１所定値以下となっている。特に、室内熱交換器（32）の温度や空気の吹出し温度は、ある程度の範囲内にて上下するため、気流モード終了時の閾値である第３所定値は、第１所定値よりも低くすることが好ましい。これにより、モータ制御部（72）及び圧縮機制御部（86）は、熱交換温度センサ（61）の検知結果が上下する現象に影響されることなく、気流モードを終了させることができる。
【０１２３】
また、暖房運転における気流モードでの運転積算時間が所定時間に達した場合にも、モード終了制御が行われる。暖房運転における気流モードでの運転積算時間が所定時間に達したということは、気流モードが十分な時間実行されたことを意味する。気流モードが十分な時間実行されれば、室内空間（500）の壁付近からの冷気の進入も十分に抑制され、室内空間（500）はある程度暖まった状態となる。そこで、気流モードでの運転積算時間が所定時間に達した場合、モータ制御部（72）及び圧縮機制御部（86）は、モード終了制御を行う。これにより、不必要に気流モードが実行されずに済む。
【０１２４】
−上記実施形態の変形例１−
熱交換温度センサ（61）の代わりに、図１２に示すように、吹出し温度センサ（161）が第１温度検知部として設けられてもよい。
【０１２５】
吹出し温度センサ（161）は、吹出し開口（24a〜24d）付近に設けられ、吹出し開口（24a〜24d）から吹出される空気の温度を検知する。
【０１２６】
この場合、モータ制御部（72）は、暖房運転時、吹出し温度センサ（161）の検知結果である吹出し空気の温度が第１所定値よりも高い場合に、気流モードにて風向調節羽根（51）を制御する。また、モード終了制御では、室内熱交換器（32）の温度に代えて吹出し温度がモニターされ、吹出し温度が第３所定値以下となるにように圧縮機（81）の運転周波数を低下する制御が行われる。そして、吹出し温度が第３所定値以下となった時、気流モードは終了する。
【０１２７】
このように、室内熱交換器（32）の温度に代えて吹出し温度を用いたとしても、上記実施形態と同様の作用及び効果が得られる。
【０１２８】
−上記実施形態の変形例２−
室内ユニット（10）は、天井埋め込みタイプに限定されない。室内ユニット（10）は、天井吊り下げタイプまたは壁掛けタイプであってもよい。室内ユニット（10）がどのようなタイプであっても、暖房運転時に室内熱交換器（32）の温度または吹出し温度が第１所定値よりも高い場合、吹出し開口（24a〜24d）から吹き出される空気を少なくとも水平に吹かせる気流モードが実行されれば良い。
【０１２９】
なお、天井設置タイプ及び壁掛けタイプでは、気流モード時、コアンダ効果を利用して天井埋め込みタイプ時の水平よりも若干上向きに空気が吹き出されても良い。
【０１３０】
−上記実施形態の変形例３−
水平吹き位置である風向調節羽根（51）の水平方向に対する角度は、主吹出し開口（24a〜24d）から吹き出される空気が室内空間（500）の壁付近に到達できる程度に、室内ユニット（10）の位置から室内空間（500）の壁面までの距離に応じて適宜微調整されていてもよい。室内ユニット（10）の位置から室内空間（500）の壁面までの距離は、室内ユニット（10）を室内空間（500）に据え付ける際に据付作業者によって測定され室内制御部（70）に入力されてもよいし、当該距離を測定するためのセンサが予め室内ユニット（10）に取り付けられていても良い。
【０１３１】
−上記実施形態の変形例４−
一旦気流モードを行った後に再び気流モードを行うかどうかを判断する際、通常モードから気流モードへの移行条件として、既に述べた室内熱交換器（32）の温度または吹出し温度に関する条件及び気流モードでの運転積算時間の条件に加え、室内空間（500）の床温度と吸込温度との差が一定差以上である条件が課されても良い。この場合、室内空間（500）の床温度は、床温度センサ（図示せず）を用いて検知することが好ましい。
【０１３２】
しかし、暖房運転中、床温度センサは、吹き出された空気の影響により、実床温度よりも高く検知し易い。そこでこの場合、床温度センサの検知結果に対し補正を行い、補正後の床温度センサの検知結果と、補正を行っていない吸込温度センサ（62）の検知結果との差が一定差以上である条件を課すと更に好ましい。
【０１３３】
上記一定差は、室内空間（500）の環境に応じた値に、リモートコントローラ（90）を介して適宜設定変更されてもよい。
【０１３４】
なお、気流モードでの運転積算時間は、必ずしも算出されていなくてもよい。気流モードでの運転積算時間が算出されない場合、モードの移行条件の中から、運転積算時間に関する条件は省かれる。
【０１３５】
−上記実施形態の変形例５−
負荷指標算出部（71）は、室内空間（500）の負荷を表す指標の算出の際、吸込温度センサ（62）の検知結果そのものを利用するのではなく、吸込温度センサ（62）の検知結果を補正した値を利用してもよい。これにより、室内空間（500）の実際の負荷を精度良く表した指標が得られる。主吹出し開口（24a〜24d）や副吹出し開口（25a〜25d）から吹き出された空気が、室内空間（500）を循環せずに直ちに吸込口（23）からケーシング（20）内に吸い込まれる場合に有効である。
【０１３６】
−上記実施形態の変形例６−
暖房運転における気流モード時の室内空間（500）の負荷を表す指標を算出する方法は、設定温度と吸込温度センサ（62）の検知結果とを利用した方法に限定されずとも良い。例えば、吸込温度センサ（61）の検知結果と室内空間（500）の床温度との平均値を用いて上記指標が算出されてもよい。この場合、吸込温度センサ（62）の検知結果そのものではなく、補正後の吸込温度センサ（62）の検知結果が利用されても良い。
【０１３７】
更に、上記指標は、室内空間（500）の壁面負荷や床面負荷から判断されてもよい。
【０１３８】
更に、上記指標が算出されるタイミングとしては、所定時間間隔毎であってもよいし、室内空間（500）の利用者によってリモートコントローラを介して操作された時であってもよい。
【０１３９】
−上記実施形態の変形例７−
暖房運転時の室内空間（500）の負荷を表す指標の算出には、吸込温度センサ（62）に代えて、室内空間（500）に個別に設置された室内の温度検知用のセンサの検知結果、またはその補正結果が利用されてもよい。なお、個別に設置される室内の温度検知用のセンサの種類は、有線を用いた通信を行うもののみならず、無線通信を行うものであってもよい。
【０１４０】
−上記実施形態の変形例８−
主吹出し開口（24a〜24d）の数は、４つに限定されず、例えば１つまたは２つであってもよい。
【０１４１】
−上記実施形態の変形例９−
室内ユニット（10）は、風向調節羽根（51）とは別途、主吹出し開口（24a〜24d）を塞ぐためのシャッタを、気流阻害機構として備えていてもよい。この場合、気流阻害機構は、主吹出し開口（24a〜24d）に対応して設けられることが好ましく、例えば開閉式のシャッタで構成されることができる。
【０１４２】
−上記実施形態の変形例１０−
上述した気流モードの応用例（気流ローテーション）は、図１０に限定されず、例えば通常吹出し動作と、第１吹出し動作と、第２吹出し動作とを順に繰り返し行うような動作であってもよい。
【０１４３】
−上記実施形態の変形例１１−
また、気流モードの応用例（気流ローテーション）における第１吹出し動作および第２吹出し動作は、隣り合う二つの主吹出し開口（24a〜24d）から空気を室内空間（500）へ供給し、残りの隣り合う二つの主吹出し開口（24a〜24d）の風向調節羽根（51）を気流ブロック位置とする動作であってもよい。
【０１４４】
−上記実施形態の変形例１２−
風量を高める制御は、必須ではない。また、風量を高める制御が行われる場合は、上記（Ｉ）〜（ＩＩＩ）以外の方法が採用されてもよい。
【０１４５】
従って、上記気流ローテーションにおいて、風量を高める方法として、上記（Ｉ）の方法に代えて上記（ＩＩ）または（ＩＩＩ）が採用されてもよいし、（Ｉ）〜（ＩＩＩ）以外の方法が採用されてもよい。
【０１４６】
−上記実施形態の変形例１３−
気流ローテーションにおける各動作の継続時間は、互いに同じ時間（例えば、１２０秒）ではなく、異なっていても良い。
【０１４７】
−上記実施形態の変形例１４−
風量を高める制御として上記（Ｉ）または（ＩＩＩ）が採用された場合、図８の気流ブロック位置を採ることに代えて、風向調節羽根（51）は、対応する主吹出し開口（24a〜24d）を完全に閉じてもよい。
【０１４８】
−上記実施形態の変形例１５−
気流モードの終了条件として、上記実施形態では、条件（Ａ）〜（Ｃ）について説明した。しかし、気流モードの終了条件は、必ずしも上記（Ａ）〜（Ｃ）に限定されずともよく、上記（Ａ）〜（Ｃ）以外の条件が成立した場合に気流モードは終了しても良い。
【０１４９】
−上記実施形態の変形例１６
気流モードのモード終了制御は、圧縮機（81）の運転周波数を低下させて室内熱交換器（32）の温度を低下させる動作以外であっても良い。また、モード終了制御にて利用される第３所定値は、必ずしも第１所定値以下でなくてもよい。
【産業上の利用可能性】
【０１５０】
以上説明したように、本発明は、室内空間に空気を吹き出す室内ユニットを備えた空気調和装置について有用である。
【符号の説明】
【０１５１】
10  室内ユニット
20  ケーシング（室内ケーシング）
24a〜24d  主吹出し開口（吹出し開口）
51  風向調節羽根
61  熱交換温度センサ（第１温度検知部）
62  吸込温度センサ（第２温度検知部）
71  負荷指標算出部
72  モータ制御部（制御部）
81  圧縮機
86  圧縮機制御部
100  空気調和装置
500  室内空間
【手続補正２】
【補正対象書類名】特許請求の範囲
【補正対象項目名】全文
【補正方法】変更
【補正の内容】
【特許請求の範囲】
【請求項１】
室内空間（500）に空気を吹き出す室内ユニット（10）を備えた空気調和装置であって、
吹出し開口（24a〜24d）が形成された室内ケーシング（20）と、
上記吹出し開口（24a〜24d）に設けられ、該吹出し開口（24a〜24d）から吹き出される空気の風向を上下方向に変更するための風向調節羽根（51）と、
上記室内ケーシング（20）内部に設けられており、暖房運転時、上記吹出し開口（24a〜24d）から吹き出される前の空気を冷媒によって加熱する室内熱交換器（32）と、
上記室内熱交換器（32）の温度または上記吹出し開口（24a〜24d）から吹き出される空気の温度を検知する第１温度検知部（61）と、
上記暖房運転時、上記第１温度検知部（61）の検知結果が第１所定値よりも高い場合、上記吹出し開口（24a〜24d）から吹き出される空気を水平方向または水平よりも上方向に吹かせる気流モードにて、上記風向調節羽根（51）を制御する制御部（72）と
を備え、
上記制御部（72）は、上記気流モードにおいて、上記吹出し開口（24a〜24d）から吹き出される空気の風量を、上記暖房運転時における上記第１温度検知部（61）の検知結果が上記第１所定値よりも低い場合に比して増大させる
ことを特徴とする空気調和装置。
【請求項２】
請求項１において、
上記室内空間（500）の負荷を表す指標を算出する負荷指標算出部（71）、
を更に備え、
上記制御部（72,86）は、上記暖房運転における上記気流モード時の上記指標が第２所定値よりも低い場合、該気流モードを終了させるモード終了制御を行う
ことを特徴とする空気調和装置。
【請求項３】
請求項２において、
上記室内ケーシング（20）には、吸込み開口（23）が更に形成されており、
上記吸込み開口（23）から上記室内ケーシング（20）内に吸い込まれる空気の吸込温度を検知する第２温度検知部（62）、
を更に備え、
上記暖房運転における上記気流モード時の上記指標が上記第２所定値よりも低い場合とは、上記暖房運転における上記気流モード時の設定温度と上記吸込温度との差が所定差よりも小さい場合である
ことを特徴とする空気調和装置。
【請求項４】
請求項２または請求項３において、
冷媒を圧縮する圧縮機（81）、
を更に備え、
上記制御部（72,86）は、上記モード終了制御では、
上記第１温度検知部（61）の検知結果が第３所定値以下となるように上記圧縮機（81）の運転周波数を低下させ、
上記第１温度検知部（61）の検知結果が上記第３所定値以下となった時、上記気流モードを終了する
ことを特徴とする空気調和装置。
【請求項５】
請求項４において、
上記第３所定値は、上記第１所定値以下である
ことを特徴とする空気調和装置。
【請求項６】
請求項１において、
上記制御部（72,86）は、上記暖房運転における上記気流モードでの運転積算時間が所定時間に達した場合、上記気流モードを終了させるモード終了制御を行う
ことを特徴とする空気調和装置。